(57)【要約】【課題】  町内の公園とか広場などの近場を選んで簡単に避難場所を提供できるようにした津波などに対する避難用施設物並びにその築造方法を提供すること。【解決手段】  土砂や岩石、外包重量物、木材、鉄骨、コンクリート、廃材などを単独あるいは適宜組み合わせにより用いて地盤レベルよりも高く盛り上がるように造成された人工丘陵上面以上の高いところに避難場所が設定されるとともに地盤レベルより前記避難場所へ登ることのできる登降手段を設けてなる。【選択図】  図２
2006342648.tif 000002
【特許請求の範囲】
【請求項１】
土砂や岩石、外包重量物、木材、鉄骨、コンクリート、廃材などを単独あるいは適宜組み合わせにより用いて地盤レベルよりも高く盛り上がるように造成された人工丘陵上面以上の高いところに避難場所が設定されるとともに地盤レベルより前記避難場所へ登ることのできる登降手段を設けてなる津波などに対する避難用施設。
【請求項２】
請求項１記載のものにおいて、避難場所は、人工丘陵の上面である下側の避難場所と、同下側の避難場所よりも高くなるように人工丘陵を通じて立設さえた支柱を介して設けられた上避難場所とで構成されている津波などに対する避難用施設。
【請求項３】
請求項１記載のものにおいて、人工丘陵は複数個所に配備されているとともに、これら避難場所間は、往き来可能で避難スペースともなるように連絡されている津波などに対する避難用施設。
【請求項４】
請求項１または２記載のものにおいて、人工丘陵は、三角形を含む多角錐形でその１つの角部が津波の襲来に対し先行する側に方向付けられている津波などに対する避難用施設。
【請求項５】
請求項３記載のものにおいて、人工丘陵は、津波の襲来してくる方向に合わせて前後に組をなして配置され、登降手段は、津波の襲来してくる方向に対し後方となる周位を介して設けられている津波などに対する避難用施設。
【請求項６】
請求項１から５までのいずれかに記載のものにおいて、人工丘陵の裾周りは少なくともコンクリート製で外方へ突き出している津波などに対する避難用施設。
【請求項７】
請求項１から５までのいずれかに記載のものにおいて、人工丘陵の少なくとも津波の襲来が想定される側には、津波に対抗すべく予備防御手段が設けられている津波などに対する避難用施設。
【請求項８】
請求項７記載のものにおいて、予備防御手段は、人工丘陵の外周における津波が襲来してくる側に配備した植林からなる津波などに対する避難用施設。
【請求項９】
地盤より高く伸びた立直部材を立設固定してのち、その立直部材の周りを介して人工丘陵を造成して避難場所を造るとともに立直部材を固める津波などに対する避難用施設の築造方法。
【請求項１０】
請求項９記載のものにおいて、人工丘陵造成前あるいは造成後に立直部材の上部に人工丘陵上の避難場所よりも高位の上避難場所を造るようにする津波などに対する避難用施設の築造方法。
【請求項１１】
少なくとも津波が襲来してくる側において対抗状をなすように防護壁を立設し、この防護壁の後側に高い避難場所を造り、その避難場所に登る登降手段を配すようにする津波などに対する避難用施設の築造方法。
【請求項１２】
請求項１１記載のものにおいて、防護壁として、鋼矢板、鋼管矢板、鋼管杭あるいは木材などの土木・建設用等の長尺資材や矩形板などの複数を使用して外周を形成するようにする津波などに対する避難用施設の築造方法。
【請求項１３】
請求項１１記載のものにおいて、防護壁を上からみて丸形・角形等のラセン状に形成し、そのラセンの外周端に相当して登降口を形成するとともに、同登降口からラセンの求心方向に向けて登るように登降手段を設け、その登降手段の末端であるラセンの中央部分に避難場所を設けてなる津波などに対する避難用施設の築造方法。
【請求項１４】
少なくとも津波が襲来してくる側において対抗状をなすように立設された防護壁と、この防護壁の後側に高く設けられた避難場所と、その避難場所に登る登降手段とを備えてなる津波などに対する避難用施設。
【請求項１５】
請求項１４記載のものにおいて、防護壁として、鋼矢板、鋼管矢板、鋼管杭あるいは木材などの土木・建設用等の長尺資材や矩形板などの複数が使用されて外周が形成されている津波などに対する避難用施設。
【請求項１６】
請求項１４または１５記載のものにおいて、防護壁は、上からみて丸形・角形等のラセン状に形成され、そのラセンの外周端に相当して登降口が形成されるとともに、同登降口からラセンの求心方向に向けて登るように登降手段が設けられ、その登降手段の末端であるラセンの中央部分には、避難場所が設定されている津波などに対する避難用施設。
【請求項１７】
請求項１４から１６までのいずれかに記載のものにおいて、防護壁の上部内を含む上側には、上避難場所が設けられており、同避難場所には避難場所からの登降手段が接続されている津波などに対する避難用施設。
【請求項１８】
請求項１４ないし１７までのいずれかに記載のものにおいて、避難場所および／または登降手段の内部空間には、水備蓄タンクが構成されている津波などに対する避難用施設。
【発明の詳細な説明】
【技術分野】
【０００１】  本発明は、津波などに対する避難用施設並びにその築造方法に関する。
【背景技術】
【０００２】  津波が発生し襲来する危険を知った場合には近くの小高い場所に急いで避難すべきことが古来からの習わしとなっている。
【発明が解決しようとする課題】
【０００３】  しかし、こうした近くの小高い場所は、どこにでもあるものでなく、時にして遠い場合もある。また、身体の不自由な人にとっては、小高い場所が自宅から近くとも実質的には非常に遠いものとなり、結果的に津波の襲来を受けたりすることが多々あった。
上記に鑑み、本発明は、町内の公園とか広場などの近場を選んで簡単に避難場所を提供できるようにした津波などに対する避難用施設並びにその築造方法を提供することを目的とする。
【課題を解決するための手段】
【０００４】  上記課題を解決するため、請求項１記載の発明は、土砂や岩石、外包重量物、木材、鉄骨、コンクリート、廃材などを単独あるいは適宜組み合わせにより用いて地盤レベルよりも高く盛り上がるように造成された人工丘陵上面以上の高いところに避難場所が設定されるとともに地盤レベルより前記避難場所へ登ることのできる登降手段を設けてなる。
請求項２記載の発明は、請求項１記載のものにおいて、避難場所は、人工丘陵の上面である下側の避難場所と、同下側の避難場所よりも高くなるように人工丘陵を通じて立設さえた支柱を介して設けられた上避難場所とで構成されている。
請求項３記載の発明は、請求項１記載のものにおいて、人工丘陵は複数個所に配備されているとともに、これら避難場所間は、往き来可能で避難スペースともなるように連絡されている。
請求項４記載の発明は、請求項１または２記載のものにおいて、人工丘陵は、三角形を含む多角錐形でその１つの角部が津波の襲来に対し先行する側に方向付けられている。
請求項５記載の発明は、請求項３記載のものにおいて、人工丘陵は、津波の襲来してくる方向に合わせて前後に組をなして配置され、登降手段は、津波の襲来してくる方向に対し後方となる周位を介して設けられている。
請求項６記載の発明は、請求項１から５までのいずれかに記載のものにおいて、人工丘陵の裾周りは少なくともコンクリート製で外方へ突き出している。
請求項７記載の発明は、請求項１から５までのいずれかに記載のものにおいて、人工丘陵の少なくとも津波の襲来が想定される側には、津波に対抗すべく予備防御手段が設けられている。
請求項８記載の発明は、請求項７記載のものにおいて、予備防御手段は、人工丘陵の外周における津波が襲来してくる側に配備した植林からなる。
請求項９記載の発明は、地盤より高く伸びた立直部材を立設固定してのち、その立直部材の周りを介して人工丘陵を造成して避難場所を造るとともに立直部材を固める。
請求項１０記載の発明は、請求項９記載のものにおいて、人工丘陵造成前あるいは造成後に立直部材の上部に人工丘陵上の避難場所よりも高位の上避難場所を造るようにする。
請求項１１記載の発明は、少なくとも津波が襲来してくる側において対抗状をなすように防護壁を立設し、この防護壁の後側に高い避難場所を造り、その避難場所に登る登降手段を配すようにする。
請求項１２記載の発明は、請求項１１記載のものにおいて、防護壁として、鋼矢板、鋼管矢板、鋼管杭あるいは木材などの土木・建設用等の長尺資材や矩形板などの複数を使用して外周を形成するようにする。
請求項１３記載の発明は、請求項１１記載のものにおいて、防護壁を上からみて丸形・角形等のラセン状に形成し、そのラセンの外周端に相当して登降口を形成するとともに、同登降口からラセンの求心方向に向けて登るように登降手段を設け、その登降手段の末端であるラセンの中央部分に避難場所を設けてなる。
請求項１４記載の発明は、少なくとも津波が襲来してくる側において対抗状をなすように立設された防護壁と、この防護壁の後側に高く設けられた避難場所と、その避難場所に登る登降手段とを備えてなる。
請求項１５記載の発明は、請求項１４記載のものにおいて、防護壁として、鋼矢板、鋼管矢板、鋼管杭あるいは木材などの土木・建設用等の長尺資材や矩形板などの複数が使用されて外周が形成されている。
請求項１６記載の発明は、請求項１４または１５記載のものにおいて、防護壁は、上からみて丸形・角形等のラセン状に形成され、そのラセンの外周端に相当して登降口が形成されるとともに、同登降口からラセンの求心方向に向けて登るように登降手段が設けられ、その登降手段の末端であるラセンの中央部分には、避難場所が設定されている。
請求項１７記載の発明は、請求項１４から１６までのいずれかに記載のものにおいて、防護壁の上部内を含む上側には、上避難場所が設けられており、同避難場所には避難場所からの登降手段が接続されている。
請求項１８記載の発明は、請求項１４ないし１７までのいずれかに記載のものにおいて、避難場所および／または登降手段の内部空間には、水備蓄タンクが構成されている。
【発明の効果】
【０００５】  本発明によれば、町内の公園とか広場などの近場を選んで簡単な施工によって安全な避難場所を提供することができる。
【発明を実施するための最良の形態・実施例】
【０００６】  以下、本発明を各実施形態によって詳細に説明するが、各実施形態で説明する内容は、他の実施形態にも同様に適用があるものである。
図１および図２は、本発明に係る津波（あるいは洪水）に対する避難用施設についての一実施形態を示す。
同実施形態の避難用施設は、海の沿岸一帯やそれより離れた公園・広場・校庭などの地盤１上に構成されたもので、設置数は図示では単一基としてあるが複数基のものを適宜に離間（近接も含む）して配備してもよい。
【０００７】  ２は人工丘陵で、避難用施設の主要部を構成し、同人工丘陵２は、全体が円錐形で上面を切ったような形になっている。その切った上面は水平で円形の避難場所３とされている。４は円錐面である立ち上がり面であり、また、５は避難場所３の上防護柵である。人工丘陵２の外周りにも一部を出入り口とする下防護柵を周設してもよい。同柵は前回り半周のみでもよい。こうした人工丘陵２の複数個所には、階段である鉄製・木製などの登降手段６…が固定して設けられ、地盤１側から避難場所３に登ることができるようになっている。
【０００８】  この実施形態の場合、図１の右方向が海岸側であるので矢印Ｘが津波の襲来する方向と想定されるが、人工丘陵２の前記方向Ｘ側と戻り流発生方向Ｙ側のそれぞれには、予備防御手段であるポール７…が複数本下部を埋設して立設固定されている。このポール７は、金属パイプや鉄筋入りコンクリート柱、木柱、ゴム柱などで造られて、人工丘陵２の裾直径と略同じ寸法となる幅間に配備されている。このポール７は、その外周に廃棄タイヤなどの弾性緩衝材を上下積層状に嵌め付ければより防御効果が上がる。また、仮想線のように、これらのポール７…の底部を上からみて円弧状に包括して埋めるように裾防御手段８を配備してもよい。この防御手段８は、土砂・岩石・コンクリートなどいずれでもよく、同防御手段８が大きさによっては人工丘陵といえる。ポール８は、抵抗力の大きい植林（竹林を含む）でもよい。この場合、Ｘ方向に対し二重、三重となるように植林し、千鳥配置にすればより防護効果が上がる。複数の植林間はつなぎ合わせることがある。
【０００９】  矢印Ｙ側にも同様に裾防御手段８を配備すれば戻り流Ｙに対してだけでなく矢印Ｘから人工丘陵２回りを通った津波をも減衰する効果がある。
【００１０】  尚、人工丘陵２は、同実施形態では土砂を盛り積んで固めたものでなっているが、その立ち上がり面４にはモルタル吹き付けや樹脂吹き付けなどを処置して津波から防御するようにしてもよい。避難場所３にもこうした吹き付けをしてもよい。特に、土砂・砂利などで人工丘陵２を作り同じく登降手段も形成する場合、同登降手段（階段）表面に上記吹き付け層を固着すると簡単に堅固な階段を造ることができる。
人工丘陵２は、土砂と塊体を混ぜたもので仕上げることができる。この場合、塊体を下層とし土砂を上層とすることができ、また、塊体を本体部分としてその隙間や上面に土砂やコンクリートを流し込んだりして一体化したものにしてもよい。前記塊体には、岩塊や小石などの天然塊体、さらにはコンクリートブロックや建築廃材、焼成汚泥塊体などの人工塊体も含む。
【００１１】  前記人工丘陵２は、地盤１上に土砂を積み上げて固めて出来上がっているが、これには、図２に示すように、補強杭（あるいは板やパイプ）９…を打ち込んで防御効果を上げるようにしてもよい。避難場所３から垂直や斜めに杭を打ち込んで人工丘陵２を増強してもよく、打ち込み以外に、人工丘陵２を造成する前に地盤１に１本あるいは複数本の支柱を建てておいてその下部を人工丘陵２で埋め込む方式にしてもよい。同支柱上部を介して避難場所３より上位の上避難場所を設置してもよい。この支柱の下部は、地盤１に埋設したり、下端のフランジを地盤１に固定しておいて人工丘陵２の重量がフランジや支柱まわりに掛かって圧力で固定化されるようにしたものでもよい。
【００１２】  立ち上がり面４（避難場所３を含めてもよい）には、金属や樹脂などの網膜材を張り付けて防御効果を上げるようにしてもよい。この網膜材は、打ち込みアンカー（ペグ）で端縁その他全体を固定する。網膜材は、上下複数層にしてもよく、この場合、表側が粗く裏側が細かい目のものにする場合とその逆にする場合とがある。また、上下層間では網目が互いに交差するようにすれば保持力が強くなる。人工丘陵２は、下層を積み上げて第１網膜材を張り固定し、その上に土砂を上積みして第２網膜材を張るといった具合に中間層に１枚・複数枚の網膜材を介装してもよい。この場合、それぞれの層の網膜材はアンカー固定すれば堅固な人工丘陵が完成する。
【００１３】  人工丘陵２は、コンクリートで全体を仕上げてもよい。この場合、地盤１内に底部を埋設してもよい。
人工丘陵２は、ベタ基礎の上に土砂や塊体などを適宜に組み合わせて載せ積みしたものにしてもよい。この場合、ベタ基礎から一体に突出する複数本の柱（あるいは杭）が補強芯となるようにしてもよい。この補強芯は柱として機能させ、これらの上に避難場所３よりも高いレベルとなる上段避難ステージを形成して登降手段の付加により避難効果が上がるようにしてもよい。
【００１４】  人工丘陵２をコンクリート製とする場合、コンクリートは外周リング状部分のみで、その中は土砂や岩石などを投入して避難場所３に仕上げてもよい。前記外周リングはベタ基礎の有る場合と無い場合とがある。また、外周リングを同心状に２本あるいはそれ以上に形成し、その内径側のリング内に埋め立てを行い、その外周側のリングが防御壁として機能するように構成してもよい。
さらに、コンクリート仕上げの場合、立ち上がり面４は垂直外周面でもよいし、逆に裾が窄まった逆円錐面にして津波が上方へこないようにしてもよい。
人工丘陵２の形状は、円錐形に限らず、平面が楕円、長円形、多角形をしたものや三角や四角などの多角錐形のものにしてもよい。
人工丘陵２の避難場所３の高さは、設置される公園などの区域の津波想定高さを越える充分な高さをもって設定される。
【００１５】  人工丘陵２は、図１および２のように、その裾部分だけをやや直径の大きな裾ガイド部分１０として、津波が上方へ登りにくいようにしてもよい。この裾ガイド部分１０はコンクリートが好ましい。また、裾ガイド部分１０の外周面は、図１の仮想線のように凹凸状にしておけば津波流を減衰させる効果がある。
【００１６】  登降手段６は、金属製や木製の階段部材で出来ていて津波襲来方向Ｘからの津波により避難する人が流されないように人工丘陵２の後方に相当する個所や左右に相当する個所に設けてあるが、前周りに設けてもよい。前周りのいずれかの個所に登降手段６を設ける場合、ポール７…や裾防御手段８などが津波を減衰させて避難者を護る作用があるが、階段の下前方に他の防御手段、例えば、防御板やポールなどを立設しておいてもよい。
【００１７】  登降手段６は、人工丘陵２にコンクリートなどで一体の階段を設けたものでもよい。
また、図１に仮想線で示すように、登降手段６は、リンクチェーンやロープなどで梯子状に作った簡易梯子６−Ａでもよい。
さらに、登降手段６は、図１に同じく仮想線で示すように、車椅子でも登れるような長いスロープ（土砂・コンクリート・踏み板製のいずれでもよい）６−Ｂにしてもよい。このスロープ６−Ｂは、緩やかな階段にしたり、スロープ６−Ｂと階段との併用型にしてもよい。
【００１８】  また、ラセン状のスロープ（あるいは階段）６−Ｃにしてもよい。
さらに、図１に仮想線で示すように、人工丘陵２に切り溝１１を形成しその内側に階段（あるいはスロープ）６−Ｄを形成したものにしてもよい。この場合、階段６−ｄとスロープの併用型にしてもよい。この併用型とは、他の登降手段についても同様にいえることであるが、傾斜方向下側がスロープで上側が階段になったものも含むものであり、この場合、下側のスロープの上端近くには車椅子が安全に避難できる避難スペースが凹所などにより提供されるように構成することができる。
また、登降手段６は、立ち上がり面４全体を図２の傾斜角度よりも非常に緩やかな角度で形成し、だれでもが確実に登り切れるようにしてもよい。
さらに、登降手段６は、立ち上がり面４全体を階段状にして構成してもよい。この場合、その一部をスロープとして車椅子などでも登れるようにすることができる。前記した全てのスロープにはウインチ巻き取り装置を組み合わせることができる。
【００１９】  人工丘陵２の津波襲来側には、他の人工丘陵を設置して予備防御手段とするようにしてもよい。この予備防御手段は、複数基のこともある。
人工丘陵２上には、図２に仮想線で示すように、ドーム型やコンテナ型、剛強仮設住宅様のものなどの避難ハウス１２を設置してもよい。この避難ハウス１２は、例えば、ボックスカルバートを水平軸向きにしてその中に避難できるようにしてもよい。この場合、カルバートの両端開口には開閉蓋を装備することもある。この避難ハウス１２内には、非常時の食料や飲料水、寝具その他の必要用品を常備するようにしてもよい。
以上の個々の案は下記実施形態のすべてにそれぞれ適用され得る。
【００２０】  図３は他の実施形態を示す。地盤１４上に円錐形など前記した適宜形状で人工丘陵１５を土砂やコンクリートなどで造成し、その裾部分に階段を兼ねるコンクリート製裾ガイド１６を付すとともに、立ち上がり面１７には階段である登降手段１８を複数本配備し、さらに、上面の避難場所１９には、上防御柵２０を設けてなるもので、予め立設固定しておいた丸または角、Ｈ形などの支柱（立直部材）２１を避難場所１９よりさらに立ち上がるようにして、その上に上避難ステージ２２を設定するとともに同ステージ２２に登れる階段である登降手段２３を備えたものにしてある。同ステージ２２は必須ではない。
尚、上避難ステージ２２を無しにして登降手段２３を１本あるいは複数本立設して同登降手段２３それ自体が避難場所になるようにしてもよい。同登降手段２３には、支えを付すことがある。登降手段２３を避難場所とする場合、２本の登降手段２３を側面視Ｘ（図１３参照）あるいは逆さＶ形に組み合わせて構成してもよい。
支柱２１は、鉄パイプ製であるが、鋼矢板、鋼管矢板、コンクリート矢板を使用でき、また、鉄筋コンクリート製電柱やコンクリート杭などでもよい。前記支柱２１は、図３の破線のように人工丘陵１５の造成前に予め土中に埋めこみ（あるいは圧入）により立設するが、地盤１４あるいは裾ガイド１６上にアンカー固定しておいてもよい。支柱２１の下部にはフランジ状あるいは水平放射状をなす抵抗材Ｈを付せば安定性が一段と向上する。支柱２１は人工丘陵１５の造成で圧保持され、逆に人工丘陵１５はし２１が芯となって護られる。手すりｔを上にＴのように伸ばしその上に上避難場所２２を設置してもよい。Ｔは鋼矢板でもよい。前記登降手段１８は人工丘陵１５の周面に添って設けられていたが、図３に１８Ａあるいは１８Ｂで示すように人工丘陵１５のＸを基準とする左右間を凹溝状に通るスロープあるいは階段として避難場所１９の面内に上端が臨むものとして形成してもよい。登り角を小さくすることができる。１８Ｃ，１８Ｄのように折れ線ルートとして形成してもよく、この場合、登り角をより小さくすることができる。
【００２１】  図４は他の実施形態を示す。同実施形態は、立ち上がり面２６に傾斜方向縦２列の複数本のアンカー２７…を打ち込み、それと同時に横向きにワイヤーロープや横桟などの登降手段２８と縦桟である手すり２９を構成したものである。これらの部材は登降手段２８であるとともに人工丘陵３０の補強を果たす。
【００２２】  図５および図６は他の実施形態を示す。同実施形態は、土砂・塊体・コンクリート（ブロック状のものを含む）などを択一あるいは組み合わせて円錐形の人工丘陵３３を造成したもので、特に、人工丘陵３３を津波襲来方向Ｘに対し前後に並ぶようにして配備して、その上面間に渡架固定した連結橋状の避難場所３４を構成して、より多くの人が避難できるようにしてある。３５は登降手段であり、前記のような各種の登降手段を使用できる。特に、登降手段は、地盤から避難場所３４のフロアに通じるものにしてもよい。
【００２３】  尚、前記人工丘陵３３は、前後２点に配置されていたが、図５の左欄図のように３点、４点、５点などより多くの複数点に配置してもよい。その場合、複数点のうちの１つをＸ方向に先行するように配置する場合と、２つをＸ方向に先行するように配置する場合とがある。図示のように前記人工丘陵は円錐形に限定されず、例えば、図５の右欄図のように、津波襲来方向である前方を三角形（三角錐を含む）や六角形などの多角形の人工丘陵３７にしてその１つの角を前向きとすることで津波を切り開くようにして後方の人工丘陵３８をより確実に防御し得るようにしてもよく、また、前後の人工丘陵４０，４１とも三角形などの多角形にして前後方向からの流れに有効に対抗できるようにしてもよい。いずれも複数の人工丘陵間に広い避難場所を設けることを原則とするが、避難場所をそれぞれの人工丘陵上に直接設定することもある。
前記人工丘陵３３，３３は、図５に示す津波襲来方向Ｘ１に対し左右に対応するように配置してもよい。
【００２４】  図７および図８には他の実施形態を示す。同実施形態は、人工丘陵４４が四角錐でその底部に四角形の裾ガイド部４５を備えたコンクリート製のもので、同人工丘陵４４は、底部埋設式（固定杭付きでもよい）にしてもよい。４６は登降手段、４７は避難場所であり、同人工丘陵４４は、波切り可能なように裾ガイド部４５の１つの角をＸ方向に先行するように向けてある。
尚、仮想線のように、前後に長い菱形の底面をもつ長手状の人工丘陵４８にしてもよい。
【００２５】  図９の斜視図は他の実施形態を示す。同図は、避難用施設の設置外円５０に沿って多数本の太い受杭（鋼矢板でもよい）５１…が打ち込まれる様子を示している。受杭５１は、上下２段に通しリング５２を備え、これらのリング５２を通じて図１０のようにワイヤーなどのロープ５３を上下２段に通し円形の受柵５４を形成するようになっている。尚、同受柵５４の一部は避難するために開放状になっている。
【００２６】  ５５は塊体入りネット（外包重量物）で、塊体は、岩石やコンクリート塊、鉄塊、焼成汚泥塊体などであり、これらのうち１種あるいは複種のものを多数ネットに入れて吊りリング５６でクレーンで搬送できるようにしたものである。塊体入りネット５５は、前記受柵５４内に山積みにされて人工丘陵５７が構成される。その上部は避難場所５８となっている。５９は登降手段である。
尚、山積みしたネット５５はその網目自体をそのまま足掛けに利用して登降手段となるが、さらに人工丘陵５７の外周りに別ネットを張ってこのネットがより安定した足掛けになるようにしてもよい。コの字状などのステップを人工丘陵５７に縦方向に打設して登降手段にしてもよく、この場合、同ステップの打設によって前記ネットを同時固定するようにしてもよい。ネットのワイヤを縦横に向くものとして設置し、その水平ワイヤ部分に上下多段にわたるように各パイプなどのステップ片を取り付けることでより安定した登降手段を提供するようにしてもよい。また、ネット５５それ自体は極く安定しているので受柵５４は必ずしも設ける必要はないが、図１０の右欄図のように凹凸配置にすれば津波に対抗しやすくなる。前記人工丘陵５７は相互に連結し合ったり、その表に土砂やコンクリートなどを被せて仕上げてもよい。
【００２７】  図１１は他の実施形態を示す。同実施形態は、多数の塊体入りネット６２を山積みして人工丘陵６３を造成し、その外周囲に、同じく塊体入りネット６２による防御外輪（予備防御手段）６４を配備した避難用施設である。右図のように塊体入りネット６２相互を連結して全体が崩れないようにしてもよく、また、全体に外張りネット６５を張ってペグ６６で固定することでより安定な人工丘陵６３および防御外輪６４を得ることができるようになる。
尚、地盤６７に凹み６８を形成してその中にネット６２が埋め込まれるようにすれば外輪６４全体が津波に対して安定化する。杭６９を付加してもよい。この凹み６８による方式は人工丘陵６３についても形成することができる。また、人工丘陵６３の上面は凹み状にしてこの避難場所７０内に避難することでより安全性が向上するが、水平な避難場所にしてもよい。さらに、外輪６４は、図１１の上欄に平面模式図を示すように全周でなく避難者が通過できるように一部を切り欠き状にしてもよい。また、人工丘陵６３は、外周を階段状に山積みすると登りやすい。
図１０の実施形態でも同様にいえるが、塊体入りネット５５，６２の内層のものは大きな塊体を入れたものとし、外層のものはより小さな塊体を入れたものにして外層のネットのみが重機による押圧力で平坦化して人工丘陵５７，６３の凹凸が少ない表面にすることが可能になる。その結果、ネットを使って避難者が登るのが容易になる（このことは他の実施形態でも同様に適用することがある）。
前記塊体入りネットは、土嚢のようなものに代えることができ、土嚢と塊体を組み合わせて積み上げることもできる。土嚢の中に土砂と塊体とを混合可能である。図１０でも同様であるが、図１１に仮想線で示すように、止め杭７１…を予め打ち込んでおいてその上にネット５５，６２を投入固定すれば崩れ難い。
【００２８】  図１２は他の実施形態を示す。同実施形態は、図１０あるいは図１１のような人工丘陵７３を中央に造成し、その前後にバラ置き式にやや小さい人工丘陵７４…を配備して予備防御手段としてなるものである。人工丘陵７４…相互、あるいは人工丘陵７４と人工丘陵７３相互とはワイヤーロープやリンクチェーン、パイプなどで連結しておけば津波への対抗力を大きくすることができる。人工丘陵７４は、その前方のアンカー杭７５とワイヤーなどの牽引ロープ７６などで連結するようにしてもよい。
【００２９】  図１３は他の実施形態を示す。同実施形態は、全周が階段８０になった高さ６ｍ前後の人工丘陵８１を造成する前に、基部フランジ８２をアンカー８３で固定して高さ１２ｍ前後の支柱８４を立設しておき、そのあとで、土砂積み上げ方法や図１１のようなネット積み上げ方法やコンクリート打設などにより人工丘陵８１を造成することでその大重量によって支柱８４を確固たる安定立設状態にする施工方式である。支柱８４は仮想線のような地盤内への埋設式でもよい。
【００３０】  そののち、側面Ｘ字状をなすように人工丘陵８１上に昇降手段８５を立設するとともに昇降手段８５および支柱８４上に１２ｍ前後の高さをもつ上避難場所８６を設置するようにしたものである。８７は下の避難場所である。上避難場所８６はコーナー支柱８８で支持してもよい。
尚、８９は予備防御手段であり、後方の予備防御手段８９と人工丘陵８１間には渡し９０を装架してもよい。前記人工丘陵８１の周りの各周階段８０の高さは、避難する人にとってやや大きな段差（１．５ｍ前後）を有するものに図示されているが、これは避難する人にとって登りやすい小さい段差をもつものにすることができる。また、段差が図示のように大きい場合は、図１１のような外張りネット６５を付してそれ自体の網目を足掛けに利用して登り得るようにしたり別途階段部材を備え付けることがある。
【００３１】  図１４は他の実施形態を示す。同実施形態は、ピラミッド式に積み上げてなる人工丘陵９２の側面部分にスロープ式あるいは階段式の登降手段９３を折り返し式に設けて避難場所９４に登ることができるようにしたものである。９５は登降手段９３を設けるための凹所である。尚、図の左上欄のように、周階段９６の段差が大きい場合には、別途階段板９７を固定するようにしてもよい。図示では、人工丘陵９２の底部が埋設されているが、地盤上に載せ付ける方法をとってもよい。前記周階段９６はラセン階段やラセンスロープにすることができる。
【００３２】  図１５は他の実施形態を示す。同実施形態は、基台９９を六角などの多角形としてその角稜部分を津波の襲来する方向Ｘ側に向けることで津波Ｘを左右に振り分けるようにするとともに、その上の人工丘陵１００も六角などの多角錐形にしたものである。人工丘陵１００は、円柱状あるいは円錐状にしたり六角以外の多角錐形にしてもよい。また、ラセン階段やスロープなどの登降手段１０１を設けてもよい。
【００３３】  図１６は他の実施形態を示す。同実施形態は、基台１０４が四角形などの多角形としてその角稜部分を津波の襲来する方向Ｘ側に向けることで津波Ｘを左右に振り分けるようにするとともに、その上の人工丘陵１０５は円柱あるいは円錐形にしたものである。人工丘陵１０５も四角形などの多角形にすることができるし、基台１０４も円柱形にすることができる。尚、右下欄の図のように、階段である登降手段１０６は、津波の襲来する方向の背方となる側に形成された凹溝１０７の中に構成してもよいし、図１５の仮想線のようなラセン階段やラセンスロープでもよい。同図左欄のように、人工丘陵１０５を山・丘の裾部に対応して築造し避難場所１０８を形成してもよい。１０９は登降手段であり、人工丘陵１０５の幅間あるいは側面サイドに設けられるが、図示のように前方へ長く形成する。さらに長く登降手段１１０のように形成することもできる。登降手段１０９，１１０は、スロープあるいは階段式またはこれらの併設式のいずれでもよい。
【００３４】  図１７および図１８は他の実施形態を示す。同実施形態は、地盤１１０上にボックスカルバート１１１…を複数個縦軸状にして寄せ合わせて基台となすとともに牽張ロープ１１２により固定し、これらの中央位置にさらに上台としてのボックスカルバート１１１を載置してその中に上階段１１３を付けおいてカルバート１１１に形成した図示しない登降口から昇り降りできるようにしたものである。そして、下台である各カルバート１１１…の中に土砂や岩塊を投入してのち上台であるカルバート１１１内底部にも土砂や岩塊を投入して安定化を図るものである。カルバート１１１は図１８の右下図のように底部を埋め込むようにしてもよい。
【００３５】  １１５は人工丘陵である。この人工丘陵１１５は、下台であるカルバート１１１および下台であるカルバート１１１の底部周りを全て包み込むようにして埋設するもので、その長軸をＸ方向に平行に向けた長円形の平面形状を有するものとされ、この形も円形・角形などいかなる幾何学形状をも採用できる。また、土砂・岩塊・コンクリート塊・塊体入りネット・コンクリート固結法などを択一または組み合わせにより採用できる。また、裾の崩壊を防止するための裾ガイドや防御柵などをも付すことができる。そして、上台であるカルバート１１１の上には上避難場所１１８が手すり付きでより高い位置に固定設置してある。この上避難場所１１８は牽きワイヤ１１７でより安定化を図ることができる。
【００３６】  １１９は登降手段で、津波襲来方向Ｘからできるだけ後方に離れた左右両サイドからのスロープで構成されているが、図１７の仮想線のように、折れ曲がりなどの長いスロープで構成することもある。階段でもよい。
尚、人工丘陵１１５の前方（および後方）には、図１８のように下部埋め込み式の予備防御手段１２０が設けられる。同手段１２０はコンクリートパイプやカルバートなどを使用してもよい。
また、図１７の平面図のように、カルバート１１１を縦軸向きに多数寄せ合わせて下台ａとしその上にカルバート１１１を載せ付けて上台ｂとするとともに、内部に土砂などを投入してなる人工丘陵１２２を構成してその角をＸ向きに設置してもよい。この場合、カルバート１１１の周りには土砂などを設置しないが、必要に応じて設けることがある。
【００３７】  カルバート１１１内への土砂などの投入を無しとし空のままとすることもある。また、下段のカルバート１１１は横向きとすることもある。この場合、カルバート１１１は端部開口および内部通路をもつので、これらを外部と連通状としかつ内部に登降手段を備えれば上方へ登ることが可能になる。
尚、上記人工丘陵式の避難用施設物の外回りには図１７のように植林１２１…をしたり竹やぶを造ると津波エネルギーを前もって減衰することができる。また、図１８の左下欄に示すように、登降手段１２４と避難場所１２６を備える人工丘陵１２２を大台とし、その上に小台を付加造成して登降手段１２５に登ることのできる上避難場所１２７を有する上人工丘陵１２３を形成してもよい。
【００３８】  図１９ないし図２２は他の実施形態を示す。
尚、以下の各実施形態で説明する内容は、他の実施形態にも同様に適用がある。
同実施形態は、長尺資材である鋼矢板２００…の多数本を連続して打設することにより平面丸形ラセン状（図１９参照）の避難用施設本体である防護壁（スパイラルタワーあるいはスパイラルシェルター、ラセンタワー、ラセンシェルターなどを称することもある）２０１を築造したものである。この築造の地盤２０２は、町内や村内の公園や校庭、その他の使用されてない広場や休耕地などいずれを利用したものでもよい。
【００３９】  鋼矢板２００は、図１９の右欄の斜視図に示すように、一般にＵ形と称するもので、一対の斜めのフランジａと平坦なウエッブｂおよび両脇の掛溝条ｃからなるもので、ここでは長尺資材と呼ぶこととする。同鋼矢板２００は４００ｍｍ幅と６００ｍｍ幅とがあるが、ここでは広い６００ｍｍ幅のものを溝が内外交互に向くようにして掛溝条ｃ…同士を掛合して打設するものとする。
【００４０】  これら鋼矢板２００…は、図２０の右下欄に一端斜視図を示すように、図１９のラセン全体に適合するような導梁２０３を設置予定地盤２０２上に敷設して打設するもので、導梁２０３は、図示の溝形鋼やＨ形鋼などの内外離間した２条の曲がり梁からなり、これらを導梁２０３を目的とするラセンラインを規定するように調整して縦向きの導杭や導梁２０３と鋼矢板２００間に嵌め込まれるスペーサ（図示省略）などを適宜使用して上からの鋼矢板２００をぶれなく正確に誘導するものとされる。導杭やスペーサなどは使用しないこともある。以下ではこうした誘導方式は簡略化のため説明を省略する。
【００４１】  鋼矢板２００…はこの実施形態では略２周強ラセン状をなすように打設される。ここで、打設とは、バイブロハンマー工法、圧入工法その他の工法によるものを主なるものとするが、地盤にラセン溝を掘り下げたり、ラセン全体を含む穴を掘削して鋼矢板２００の下部を埋め込み固定する工法によることもある。これら溝や穴を掘った状態で鋼矢板２００を圧入などにより打ち込むこともある。
【００４２】  図示では、圧入工法によって導梁２０３に誘導されながら鋼矢板２００を配列固定する場合を例示している。こうして築造された防護壁２０１は、その外面側および／または内面側から掛溝条ｃ同士を直接溶接したり付加板を当てて溶接や止着をすることで防護壁２０１の保形力を持たせるようにすることができる。また、防護壁２０１の上部に梁を装架して拡開しないように補強することもできる。さらに、防護壁２０１の外周をワイヤ巻きして引っ張ることで拡開を防止することもできる。これらの組み合わせで補強することもできる。
【００４３】  図示防護壁２０１は、高さ１０ｍ、最大直径１５ｍ前後に築造してラセン溝空間の幅を約２〜３ｍにするとともに外周端には登降口２０５を形成してある。この登降口２０５は、図１９のように、津波の直接の襲来を受けないように津波襲来想定方向Ｘに対し後背側に開口してあるようにされている。登降口２０５から防護壁２０１内に向かうように登降手段であるスロープ（あるいは仮想線のような階段）２０６が緩い登り傾斜でもって１周強回るようにして形成されている。このスロープ２０６は、図２２に示すように、土砂２０７で作る場合は、両脇に砂利２０８を配して安定化を図る上で好ましいが、コンクリート投入によりスロープ２０６を形成したり、あるいは仮想線のように階段２０９により登降手段を形成することもできる。下層が土砂基盤で上層がコンクリートの場合もある。また、図２３に示すように、登降手段の構造としては、階段２０９とスロープ２０６とを左右に併設することもある。左右いずれが階段２０９でスロープ２０６であってもよい。この場合、スロープ２０６を外周寄りにすると角度を緩くとることができて登りやすくなる利点がある。尚、図１９の●印は上方からみた避難者ｍを示す。前記ラセンの方向は図示とは逆向きにすることもできる。
【００４４】  図１９ないし図２１の矢印ＵＰ１は登降口２０５からの第１段階としての登り方向を示し、避難者がスロープ２０６を１周強ほど登ると、そこにはラセンの中央部分に相当する避難場所２１０が平坦な面として形成されている。同避難場所２１０は、図２０の破線のように地盤２０２から７〜８ｍ程度上がった高いところに設定されている。勿論この高さは津波襲来想定高さに余裕高さを持たせた高さとして高低に設定される。
【００４５】  同避難場所２１０は前記登降手段と同様の各種態様、すなわち、土砂類やコンクリート流し込み、あるいはこれらの組み合わせなどで造成することができる。そして、この避難場所２１０内に１．８〜２ｍ前後の避難ステージを設けて同ステージの上としたである避難場所２１０に併せて避難できるようにしてもよい。この実施形態では、避難場所２１０の内周である防護壁２０１の内周に添って上スロープ（あるいは階段）２１２を設け、その上側の避難ステージ（上避難場所）２１３上に矢印ＵＰ２のように登ることができるようになっている。同避難ステージ２１３は、図１９および図２１に仮想線の丸形で示すように、鋼板による広いステージ面を備えるとともに外周には安全のための手すり２１４が施されている。そして、ステージ面には上スロープ２１２に通じる登り口が明けられている。避難ステージ２１３および上スロープ２１２は必須なものではない。
【００４６】  この避難ステージ２１３は、防護壁２０１上に直接載置して止着固定してもよく、図１９の仮想線のように、防護壁２０１の各鋼矢板２００…に複数の脚柱２１６を固定してその上に同避難ステージ２１３を取付固定するようにしてもよい。この脚柱２１６はその下部を避難場所２１０内の土砂などに埋め込むようにすると一層安定化する。同脚柱２１６は、図１９の右欄図に仮想線で示すように、同じ鋼矢板２００を上突出状に連結あるいは溶接して構成することができる。また、防護壁２０１の外部に脚柱２１７を埋め込み立設しておいてその上である防護壁２０１上にくるように避難ステージ２１３を固定設置してもよい。この場合の脚柱２１７は、防護壁２０１の前側に配置されているので、津波襲来時の予備防護手段としても機能する。脚柱２１７の横列間には防護ロープや廃タイヤなどの緩衝手段を付加することができる。
【００４７】  尚、防護壁２０１は、組み合わせ鋼矢板（図示省略）や図１９の右下欄のような直線形鋼矢板などで築造することができるし、後述するが、鋼管杭や鋼管矢板、コンクリートパイル、コンクリートパネル、木杭など種々のものを利用して築造することができる。
また、図１９の左欄に示すように、登降口２０５を後向きに開いたものにしてもよい。登降口２０５を仮想線のように右方向に振ったさらに拡がる口として形成してもよく、この場合、口が広がるだけでなく前方からの津波の流れを側脇方へ誘導して避難しやすくする利点もある。尚、鋼矢板は内外二重に離間して対向させて配列しその間に充填材、例えば、土砂や砂利、岩塊、コンクリートなどの他、洗浄済みかき殻微細片（粉粒状のものも含む）やホタテ貝殻微細片（同様に粉粒状のものも含む）などを単独にあるいは前記土砂などと混合して充填するようにしてもよい。川底浚渫物・石炭ガラ・下水汚泥焼成物なども含む。
【００４８】  さらに、図１９の矢印Ｙは戻り流を示し、これに対し登降口２０５の後方側には図２１仮想線のような防護手段２１５を設けることがある。
また、図１９に仮想線で示すように、避難場所２１０の内部には支柱２１８を立設してその上に避難ステージを固定するとともに支柱２１８周りにラセン階段２１９を備えて登降できるようにしてもよい。
さらに、図２０の右欄に示すように、登降口２０５からの登り経路に対応する鋼矢板２００は、図２１のように高くせず後回りであることもあって低目にしてもよい。
【００４９】  また、図２０に示すように、避難ステージ２１３上には、扉付きのコンテナ２２０などの非常用倉庫を設置して非常用の食料や飲料、救助用品などを常備するようにしてもよい。
さらに、図２１の左上欄に示すように、スロープ２０６の上の空間が空いていることを利用して対面する鋼矢板２００間に扇形の避難ステージ板２２１…を広い面積にわたるように設けて避難場所２１０側から同ステージ板２２１…上に登降できるようにしてもよい。ステージ板２２１は、鋼矢板２００間に挿通される受けバー２２２…により受担されるものにしてもよい。
また、図２０に示すように、防護壁２０１の外周、特に前回りの裾部にはコンクリートなどによる制御手段２２３を設けると前方からの津波が円筒形の防護壁２０１とともに後方上昇分散流に制御される利点があるし、防護壁２０１の補強にもなる。同制御手段２２３はより大きな制御手段２２３′にしてもよい。
【００５０】  尚、前記実施形態では鋼矢板２００…を打設したあと内部に土砂などを投入するようにしたが、例えば、図３のような人工丘陵１５を造成したあとに人工丘陵１５の外周や避難場所１９外周などに添って鋼矢板２００…を打設し、そのあとで登降手段や避難場所などを図１９ないし図２３のように造成・整備して完成するように、施工順序を変えてもよい。この場合、鋼矢板２００…をラセンにしたり円筒配置（後述）にしたりすることができる。
【００５１】  図２４は他の実施形態を示す。同実施形態は、同じく鋼矢板などによるラセン状防護壁２２７でラセンを２周巻き程度にしてその後部に登降口２２８を設け、それに通じるスロープ（あるいは階段）２２９を登降手段として備えるとともに、中央に平坦な避難用スペース２３０を設定したものであるが、これに上側の避難ステージを設けるか否かは自由である。特に、同図の右欄上に示すように、鋼矢板に代えて丸形鋼管矢板（あるいは鋼管杭）２３１を角度変更自在な継手２３２で連結する方法もあることを例示してある。同鋼管矢板２３１の外周側には木製外装材（丸軸状あるいは板状）２３３を配列して自然らしさを出すようにしてもよく、また一方、鋼管矢板２３１自体を間伐材などを利用した木杭方式にしてもよい。木杭の場合、相互を連結手段で止め付けたり外巻きワイヤで保持するようにしてもよい。図２４左上欄のように鋼管（あるいは木杭）２３１間にＨ型鋼２４０や角パイプ、溝型鋼などを交互となるように接合して防護壁を築造してもよい。
【００５２】  同じく右欄中段に示すように、角形鋼管矢板２３５…を継手２３６で連設するようにしてもよい。この場合、右図のように凹凸２３７を備えた角木材２３８で連設することもある。この角木材２３８は、右上欄の鋼管矢板２３１の表側に張ることもできる。
また、右下欄のようにＨ形鋼２４０を継手２４１で連設するようにしてもよい。さらに、このＨ形鋼２４０は左欄図のように鋼矢板２４２と交互に組み合わせてもよく、この場合、相互間はコンクリートやモルタルなどのシール剤２４３で目地止めする。
【００５３】  さらに、図２４の左下欄に示すように、Ｘ方向に対し長く幅の方を抑えた楕円を基本とする鋼矢板などによるラセン状防護壁２４５としてもよい。同防護壁２４５は、津波流Ｘからの作用度が少なくて安全度も向上する一方において前後に長いので避難者数も一定に確保できるものである。登降口２４６から避難者が入り込みやすくしかも入る際に前方からの津波流により流されにくいように登降口２４６の一端に防護ガイド２４７を突設してもよい。この方式も他の実施形態に採用することができる。また、防護壁２４５の外周前側両脇には予備ガイド２４８を突設して、津波流がさらに左右に振り分けられて後方の避難者の方へ激しい流れが到達しないようにできるものである。この方式も他の実施形態で採用できる。
【００５４】  図２５は他の実施形態を示す。同実施形態は、同じく鋼矢板などによるラセン形をした防護壁２５０であるが、そのラセン巻数を１周半前後に短く簡略化したものである。２５１は登降口、２５２は登降手段であるスロープ、２５３は平坦な避難場所である。破線で示す２５４は蓋付き緩衝パイプで登降手段２５２の内部に埋め込まれて津波流Ｘからの衝撃を自らの弾性変形により吸収する機能をもつとともに例えば、土砂やコンクリート投入量を少なく施工が簡略になる。２５５は他の登降口で、防護壁２５０の後周りの上縁に右下欄のように切欠状（あるいは四角開口状）に形成されたもので、同登降口２５５への登降は、防護壁２５０の外壁面に設けられたステップ２５６…でなされる。尚、左欄のように、幅を狭く前後に長い楕円あるいは長円形をした防護壁２５７にしてもよく、この場合にも防護ガイド２５８を付して安全度を向上させるようにしてもよい。その一方で右上欄のように横長状の防護壁２６０も考えられるし、長軸が津波流Ｘに対し斜め向きの防護壁にしてもよい。
尚、前記では防護壁２６０の全周を鋼矢板などで構築した例を説明したが、防護壁は前回りが津波Ｘの影響をダイレクトに受ける部分であることから、図２５の左上欄に示すように、鋼矢板などにより前周部Ｌを構築する一方、それ以外の後周部（内巻き部分を含む）Ｍについては木杭で構築してもよい（このことは他の実施形態でも同様に適用することがある）。後周部Ｍについては図４７に示す組単位ａ…で構築してもよい。防護壁２５０は、仮想線でＱで示すように延長して広い登降口が提供されるようにするとともに登降する人が通過する津波から守られるようにすることができる。
【００５５】  図２６は他の実施形態を示す。同実施形態は、ラセンでない同心円型の防護壁（鋼矢板などによる）２６３で、内筒体２６４と外筒体２６５を備え、外筒体２６５の切欠２６６が後向きに、内筒体２６４の切欠２６７が前向きにくるようにして鋼矢板などの打設により同心円状に固定されたものである。そして、後部に左右一対の登降口２６８が形成されるとともに内筒体２６４と外筒体２６５間に左右一対の登降手段であるスロープ（あるいは階段）２６９が形成されている。左右のスロープ２６９を登りきった処は、図の上部で合わさり平坦な中央の避難場所２７０の高さと同レベルになるようにつながっている。この防護壁２６３も縦長式の楕円あるいは長円形状などに変形してもよい。尚、２７１は戻り流の対抗ガードである。
尚、スロープ２６９は土砂・コンクリートなどの投入方式によらず、木・鉄・コンクリート・樹脂などによる張板Ｓ…方式にしてもよい。中央の避難場所２７０も張板ＳＦとしてもよい。また、右図のように、スロープをメッシュＳ１で造ってもよい（このことは他の実施形態でも同様に適用することがある）。内筒体２６４は省略してもよい。
【００５６】  図２７は他の実施形態を示す。同実施形態は、半円で同心状の内筒体２７５と外筒体２７６とからなる防護壁（鋼矢板などによる）２７７を示し、２７８は登降口、２７９は登降手段であるスロープ（あるいは階段）、２８０は避難場所である。スロープ２７９は後方から二手に登ることができるもので、内外筒体２７５，２７６間のスロープ２７９を経由して図の上部から高いレベルの避難場所２８０に上がり込むことができるようになっている。尚、前記スロープ２７９は、できるだけ緩い傾斜で登り易くするため図示のように防護壁２７７の後方に張り出しているが、登降口２７８のところから傾斜がはじまるようにしてもよい。また、仮想線のように、スロープ２７９は内筒体２７５の裏側基部から左右に登り直角に曲がって防護壁２７７内のスロープ２７９につながるように構成してもよい。さらに、津波流Ｘの襲来側には、予備防護手段２８１…が複数立設されている。内筒体２７５は省略してもよい。
また、図２７に示す防護壁２７７を上下対称的に一対配してその間を通じて登降可能に構成してもよい。津波流Ｘの他に戻り流にも有効に対抗できるものとなる。
【００５７】  図２８および図２９は他の実施形態を示す。同実施形態は、液状対策をしたラセン状防護壁（鋼矢板などによる）２８４を備えるもので、同防護壁２８４には登降口２８５とスロープ２８６および避難場所２８７を備えるものであるが、特に、その外周複数個所からは同防護壁２８４に添って溶接あるいは連結される基部２８８を備え先端の張り出し部２８９が地盤２９０内に埋め込まれた安定板２９１が配備されており、これらの安定板２９１…により液状化現象の際にも防護壁２８４は安定になるものである。この安定板２９１は前向きにも伸びており、その先端からは予備緩衝手段２９２が津波流Ｘに対抗すべく立設されている。尚、避難場所２８７の中央には図２９のように土中から上向きに伸びた液抜きパイプ２９３が挿通固定されており、その基部の通孔２９４を通じて液状化時の水などが抜き去られるようになっている。只、同液は避難場所２８７内に抜き出されることになるため、その対策として、同パイプ２９３を上の避難ステージ２９５上に吹きだすように突き出すか、あるいは途中でエルボ状に形成して防護壁２８４外部に排出できるようにするのが好ましい。前記避難ステージ２９５の方へパイプ２９３を突き出すようにする場合、同時にパイプ２９３により避難ステージ２９５を支えるようにしてもよい。また、その場合、パイプ２９３の外周にラセン階段である第２の登降手段を設けてもよい。尚、前側の安定板２９１については、図２９の仮想線のように、その途中の部分をＬ形でなく斜上部ａを備えてその部分ａが予備緩衝手段を構成するようにしてもよい。図２８の２９６は補強梁である。
【００５８】  図３０は他の実施形態を示す。同実施形態は、鋼矢板などの打設により築造されたラセンあるいは内外同心状の防護壁２９９に登降口３００から登れるスロープ３０１や階段などの登降手段を備えて中央の避難場所３０２に避難できるようにしたものにおいて、他の登降手段として、外階段３０３を前側に斜め姿勢で立て付けて防護壁２９９に別途明けた直登降口３０４を通じて内部の避難場所３０２内に直接避難できるようにしたものである。
【００５９】  前記外階段３０３は、ステップを備えた桁３０５と手すり３０６を備えるものであるが、特別に全体に強度をもたせて襲来する津波流Ｘに抵抗し得るものとされ、そのため、階段基部を地盤３０７内に埋め込むとともに防護壁２９９との間にも受ブラケット３０８を両端固定式で連結して支持させてなるものである。この外階段３０３は、同外階段３０３は、図に仮想線で示すように側周面や後側などいずれにも設置することができる。また、図３０の右欄に斜視図を示すように、丸胴形の防護壁３０９の内部全体を避難用スペース３１０としたものに登降口３１２を形成し、それに外階段３１３を取り付けたものにしてもよい。外階段３０３，３１３は図示のものより幅広形にしてより多くの人が登れるようにしたり、複数本の外階段を同時設置してもよい。外階段を防護壁の後側に設置する場合には、登降口を低くし外階段を傾斜の緩いものにしても津波Ｘや戻り流により影響を受けない。尚、３１４は裾ガードで、土砂やコンクリート、ゴムなどでもよく、津波流Ｘを上向き流に制御し被害をより少なくするために機能する。
【００６０】  図３１は外階段３１７を津波襲来側に設置する場合の津波流処理対策例についてのもので、桁３１８間の踏み板３１９の下側に設けられる蹴込み板３２０に津波流が当ると直撃するのでなく左右に流し分けるようにしたものである。
【００６１】  図３２（側面図）および図３３（平面図）は他の実施形態を示す。同実施形態は、上側に避難ステージ３２２を備え後方に登降口３２３を備えるとともにラセン経路の登降手段３２４を造成してなる防護壁３２５を１つの避難用施設物Ｅとしたものにおいて、その複数基を前側２基で後側１基の配置で多数人の避難を可能としたものをまず示している。
そして、それとは別の提案として、これら複数基の避難ステージ３２２間を避難橋３２６…で相互連絡していずれにも移動できるようにするとともに、さらに、近場の丘や山３２７にも設置した別の避難用施設物Ｅとの間にも避難橋３２６を渡架しておいてより安全な高いところに避難できるようにしたものである。図示のようにさらに連絡することは自由である。津波流Ｘの方向は図３３のいずれを想定してもよいし、避難用施設物Ｅ…は、図示の配置に限定されず、例えば、図３３の上欄のように、前に１基、後に２基のような配置にしたり、図３３の下欄のように、津波流Ｘと平行（あるいは直角）に並ぶ方式にしてもよい。このように相互連結方式にすれば、各避難用施設物Ｅがより強く抵抗するものにもなるだけでなく、橋３２６上の避難場所に利用できさらに山３２７へ順次避難できて各避難用施設物Ｅが順次空きになることから、避難できる絶対数を格段に多くすることができる。尚、こうした避難橋３２６にて相互連絡する避難用施設物Ｅは図示の丸ラセン形以外に他のいずれの避難装置をも採用することができる。
【００６２】  図３４ないし図３９は変形例を示すもので、図３４の実施形態は、上からみて台形をした防護壁３３０をその短い辺が前に向くようにして築造し、その一側あるいは両側に登降手段３３１を設けて中央の高い避難場所３３２上に避難できるようにしたものである。登降手段３３１は仮想線のように装置の巾間中央に配置してもよい。また、前面には津波流Ｘが激しく当ることも考慮して、前方には、津波流Ｘを流し分けるための支柱３３３付き振り分けガイド（Ｖ形）３３４を設置すると解消される。また、津波流Ｘに対し防護壁３３０を少し斜めに振った角度に設置すると津波流Ｘが左右に分けられるし、短い辺を鋼矢板の配列により前方丸凸状にしてもよい。
【００６３】  図３５の実施形態は、鋼矢板などにより基本的に三角形に築造した防護壁３３７を示す。この防護壁３３７は、三角形の内筒体３３８とその外側に添ってＶ字形をなす外壁体３３９とでなる。３４０は登降口、３４１は左右の登降手段（スロープや階段）、３４２は避難場所であり、矢印経路で避難場所３４２に避難することができる。尚、防護壁３３７の前端には、津波流Ｘをより抵抗少なく切り分けるバルバスバウに相当する丸パイプ３４３を設けてもよい。また、外壁体３３９は仮想線のように外向き凸状に湾曲するように築造してもよい。
【００６４】  図３６の実施形態は、基本的に四角形をした防護壁３４６についての例である。この防護壁３４６は、丸形ラセン状の防護壁を全体的に四角にしたもので、登降口３４７と登降手段３４８および四角な避難場所３４９を備えるものである。この避難用施設物は、前方および後方からの津波流の双方に有効に対抗できる形をしており、しかも、市販のＵ形鋼矢板とコーナー鋼矢板とを組み合わせて築造することができる。この実施形態を含めて、他の実施形態では全て避難ステージを構成することができる。
尚、右欄に示すように、四角な防護壁３４６′の中に中防護壁３５０を形成し、その間に左右両ルートから登れる登降手段３５１を備えて構成してもよい。この場合、こうした避難用施設物を仮想線のように寄せ合わせてもよい。Ｘは津波が襲来してくる側である。
【００６５】  図３７は四角形を前後に長く伸ばした菱形を基本とする防護壁３５２についての実施形態を示す。３５３は登降口、３５４は登降手段、３５５は避難場所である。この避難用施設物は津波流Ｘの作用を弱めるとともにそれに対する抵抗力が強く、しかも、避難者数を多くとれるものである。尚、３５６はＶ形あるいは半丸形の前・後振り分け防護ガイドを示す。
【００６６】  図３８および図３９は基本的に四角形をし先端が半丸筒状で抵抗のないような形にした防護壁３５８を示す。３５９は登降口、３６０は登降手段、３６１は避難場所である。登降手段３６０は巾間中央であるが左右いずれか双方に配置してもよい。
また、仮想線で示すように、半丸筒状部分は後部にも築造して全体として長円形状の防護壁３５８とし、戻り流にも対抗できるようにしてもよい。この場合、一側後方から登降してラセン状の経路で中央の避難場所に登り得るように構成することもできる。
【００６７】  図４０および図４１の実施形態は、土砂や岩塊（塊体入りネットも含む）あるいはコンクリート製で可能なピラミッド形人工丘陵３６４とこれに関連して組み合わされた避難ステージ３６５とでなる避難用施設物（ピラミッドステージと称することもある）を示す。
【００６８】  ピラミッド形人工丘陵３６４は、四角錐形であるが三角錐や六角錐などの他の多角錐形でもよい。同人工丘陵３６４はその１つの稜線が津波流Ｘと戻り流Ｙの方向に向いてこれらの流れを切り分けるように設置されているとともに、その錐面を登降手段としてのスロープとして利用したり全周を階段状にして登降手段にしてもよい。ここでは錐面をスロープとして利用できるとともに錐面中央に縦向きに設けられた階段３６６により登降できるようになっている。こうしたピラミッド形人工丘陵３６４のみで避難用施設物を構成することもできる。
【００６９】  避難ステージ３６５は、四角な平坦基板と外周の手すりを備えたもので、人工丘陵３６４と同心状をなして配置されるとともに、人工丘陵３６４の周縁に対応して打設された鋼矢板２００…などによるガード支柱３６８…により支承されて固定されている。その高さはピラミッドの頂点より少し低いところにあり、特に、同ステージ３６５の中央には四角な開口Ｐが明けられて人工丘陵３６４にその縁部が略接触する程度にされているとともに、開口３６９の各辺中央位置には階段３６６から避難ステージ３６５上に転回しながら乗り移ることができるように登り口Ｑを切欠状に形成してある。
尚、図４０の右欄のように、人工丘陵３６４の頂部より少し下がった高さの外周に断面Ｌ形のような段差ａを備えて階段３６６を登ったあとこの段差ａを通じて避難ステージ３６５上に避難できるように構成してもよい。
また、図４１の右欄のように、人工丘陵３６４の頂部ｂのみを四角錐状の屋根として支えて同頂部ｂとその下部の人工丘陵３６４間に避難ステージｃを形成してもよい。この場合、避難ステージｃの広さをさらに確保するため、避難ステージｃの周りに、支柱ｄで支持された外周ステージｅを備えてもよい。
【００７０】  図４２の実施形態は、鋼矢板の打設などにより丸胴状あるいは楕円胴状、角胴状など各種形状を採用できる防護壁３６８の内部に高い避難場所３６９を造成し、その後部を切欠状に残しておいてその個所を通じて後方地盤から高い避難場所３６９の中央まで登降することのできる扇階段（あるいはスロープ）３７０をできるだけ緩やかな傾斜をもって形成したものである。階段３７０は土砂やコンクリートなどいずれで造成してもよい。階段３７０は脇流をも発生させながら戻り流を登りにくくする。
【００７１】  図４３の実施形態は、ラセン状避難用施設物Ｅ，Ｅを左右一対配し、登降口３７３，３７３を共に後に向けて津波流Ｘの影響を受け難くするとともに、前方には、避難用施設物Ｅ，Ｅにダイレクトに津波流Ｘが当らないようにＶ字あるいは右欄の丸湾曲状のプロテクト３７４を予備緩衝ガイドを発揮するものとして設置してなる。プロテクト３７４は鋼矢板などの打設により築造することができる。
尚、上記各種実施形態は、対津波以外に津波避難訓練用、洪水、高潮等の水害避難用、その他町内会合や盆踊り用にも利用可能であることは言うまでもない。また、近隣の人（自治体が一部あるいは全部出費する場合も含む）が築造する場合の他、個人が住居として築造することもできる。
【００７２】  図４４は、間伐材を含む木材（竹を含む）４００…を左上欄のように数本あるいは十数本のように適宜本数で束ねてワイヤーロープ４０１などにより薪束のように巻き締めてこれを組単位ａとし、これら組単位ａの多数を縦向きにして更に大きく束ねてワイヤーロープやワイヤメッシュなどの外絞り４０２により上下数段階にわたって強力に締め付けることにより１つの大きな丸胴形束体（避難用施設）を構成したものである。前記木材４００は、材木を含むもので、これに代えて竹や籐などを利用できる。前記外絞り４０２はワイヤあるいは樹脂メッシュとすればそれ自体の目が梯子となる。前記外絞り４０２は、必須のものではなく、例えば、組単位ａを埋め込む場合には外絞り４０２を構成しないことがあり、また、組単位ａ同士を上端でかすがい止めするなどして連結しておけば外絞り４０２を特に構成する必要はない。その直径は、近隣の避難する人数を想定して１０ｍ・２０ｍ・３０Ｍなど大小適宜に決定される性格のものであるのでここでは特定されない。また、木材４００は、基本的に同じ長さに切断されてその上に避難場所が設定されるが、図示のように、襲来してくる津波Ｘに対し前側となる部分のものについては、１ｍないし２ｍのように他よりも長いものにして津波Ｘから避難者を守るようにしてもよい。前だけでなく外周全体を少し高くして、その内周のやや低い空間内に土砂などを投入して避難場所にすることもできる。
【００７３】  さらに、上の避難場所での安全性を考慮して、同場所の全面あるいは一部に敷板を敷設固定しておいてもよい。
また、図４５に示す土砂やコンクリートなどの充填材ｂを仕上げに投入して木材ａ間や組単位ａ相互隙間などを埋めるようにしてもよい。この充填材は上面まで層面を形成するように撒いて避難場所を造るようにしいてもよい。木材４００は、丸もので皮付きのままのものや皮剥ぎをした無垢のもの、いずれでもよく、また、丸ものから手を加えて四角など角柱状にしたものでもよい。さらに、木材４００には塗装を施してもよい。
また、前記では主に天然木材４００を対象にして説明したが、例えば、木材チップをコンパウンドで固めた擬木のようなもので構成してもよい。この場合、中実状のもの以外に筒状に形成したものも含まれる。擬木と天然木材４００とを組み合わせて構成してもよい。
【００７４】  尚、図４４に付加的に示すように、木材集束型避難用施設物を構成する前に、中央支柱４０３を立設しておき、その周りに組単位ａ…を寄せ合わせて構成することもできる。この場合、フランジ４０４付きの基部を地盤穴内に埋め込んで支柱４０３を立設固定するようにすれば同支柱４０３の安定度が向上して津波Ｘが襲来しても大きな抵抗力を発揮することになる。この支柱４０３は、複数本とすることもあり、この場合、相互を連結すると抵抗力はさらに大きく得られる。また、支柱を利用してその上に上避難ステージを構成することもできる。この場合、ラセン階段などの登降手段を構成できる。
【００７５】  図４４の実線では、避難用施設物全体が地盤上に載置されたものを例示してあるが、仮想線のように、土中に基部を埋め込むこともある。その埋め込みは全ての本数に対してする場合と適宜の本数に対して実施する場合とがある。基部を埋め込むか否かは別として、この避難施設の外周り基部は土砂や岩塊（ネット入りも含む）・コンクリートなどで覆設するとより安定化する。また、外周りには、木杭を打ち込むこともできる。この場合、木杭は垂直に打設する場合と、仮想線図示のように、斜め打設式にする場合とがある。
【００７６】  図示装置（避難用施設）の登降手段４０７は、同じく木材４００を並列使用したスロープ式のものになっているが、その下欄に示すように、木材４００…を立て向きにして階段式に高くなるように配列したもので構成することもできる。
また、組単位ａ自体に縦列のステップ４０６…を配列して登降手段としてもよい。
【００７７】  同図右欄に示すように、津波Ｘの襲来してくる前方には、埋め込み方式などで予備防護手段４０５を固定してもよい。この場合も木材４００…を利用することができる。同防護手段４０５は複数基でもよい。
また、前記避難用施設は、図３３のように複数基配備して相互連絡するようにしてもよい。
さらに、前記実施形態では、組単位ａのものを寄せ合わせて丸胴形の施設を構成したが、例えば、先に円周ラインを描いてそのラインに添うようにして多数本の木杭を垂直に打設することで、円筒物を形成し、その円筒物を絞って固定しながらその中に多数本の木材を装填してゆくようにすることで全体として円胴形の施設を得るようにしてもよい（このことは他の実施形態でも同様に適用することがある）。
【００７８】  図４４の実施形態は、丸胴形の避難用施設であったが、図４５の実施形態は、四角柱形の避難用施設を示す。五角形やその他の多角形にすることもある。組単位ａ…はその多数組が用意されて中央から次第に外周りへと縦向きにして平面視四角形となるように配列され、その外周に外絞り４０９を緊締して強固な１つの木塊体となるように構成されている。そして、同施設はその直角角部を津波Ｘの襲来する方向に対応して向けてある。しかし、四角な辺が津波Ｘ′の襲来する方向に直交するように向けることもある。
【００７９】  ４１０は別途設けた登降手段である。尚、前記では組単位ａ…の全てを基部埋め込み方式としたが、例えば、津波Ｘの襲来する先頭側のみに限定して埋め込むようにしてもよい。津波襲来方向がＸ′のように四角な辺に直交する向きとなる場合には、先頭側の辺のみに限定して埋め込むようにしてもよい。また、施設を複数基離間配置して避難場所を兼ねる連絡橋４１１を渡してもよい。図４５の実施形態では、図４４について説明したと同様の各案を適用することができる。
【００８０】  図４６は、四角などの多角形柱や図４４のような丸胴形柱とした避難用施設についての他の例で、コーナーに相当する個所に組単位ａ…を配し、それ以外の間には、単一本からなるあるいは細い組単位ａでなる木材４１３…を配列して四角形枠を形成し、その中の空間には、土砂やコンクリート、岩塊などによる埋込材４１４を投入して避難場所４１５としたものである。
【００８１】  埋込材４１４を投入する中間段階で外絞り４１６を施工して全体を絞ることで組単位ａや木材４１３…が埋込材４１４側に押し付けられて堅固な四角枠を築造するようにしてもよい。その際、外絞り４１６をさらに絞り込むためのジグザグ絞り４１７を実施してもよい。また、仮想線で示すように、同様の方法で連鎖式に他の避難用施設を増設してゆくようにしてもよい。その数、形態などは自由である。
【００８２】  尚、４１８はステンレスメッシュなどによる登降手段で、避難用施設の外部に斜め張りされている。その目自体が梯子の役目をするようにやや粗めのメッシュ度（１００ｍｍ□や１５０ｍｍ□など）を選ぶものとするが、別途ステップ４１９…を引掛固定できるようにしてもよい。
また、同図右上欄図（中央縦断面図）に示すように、埋込材４１４は、底上げ材である木材４１３の上に限定して設けてもよい。この場合、組単位ａは金属やコンクリートのパイプであってもよい。コーナー部材である組単位ａ相互は連結材４２０で開き止めしてもよい。同図右下欄図（中央縦断面図）に示すように、埋込材４１４を下層とし、その上に木材４１３…を投入して避難場所としてもよい。埋込材４１４はその一部あるいは全体としてペットボトル（裁断片を含む）や圧潰空缶などのリサイクル可能材を構成してもよい。特に、コンクリート等の瓦礫を土砂と混合して埋込材にしてもよい。
【００８３】  図４７は、図４４の実施形態の拡大図を示すもので、併せて左下欄に図示するように、芯材４２２として木材以外の金属パイプあるいはコンクリートパイルなどを同時に巻き締めてもよく、この場合、芯材４２２のみを下向きに突出させて打設あるいは埋め込み用の部分としてもよい。また、下中央欄（平面図）に示すように、木材４２３の１本々々あるいは組単位ａのものを利用してラセン状に埋め込み配置し、これらの内部空間に木材４２３や組単位ａのものを縦向きに敷き詰めるようにして、矢印のように登ることができてその奥が避難場所となるようにしてもよい。内部に敷き詰めた木材４２３上には土砂などを敷いてもよい。４２４は予備緩衝手段で木材を束ねて構成されている。さらに、同図下右欄（平面図）のように、組単位ａ…は外周１層だけでなく千鳥配置などで２層あるいは図示しない３層・４層のように積層すれば抵抗力が高くなる。
【００８４】  図４８は周方向に離間して打設あるいは埋込方式で立設固定したパイプあるいは杭・矢板などでなる外止部材４２７…と、その内周全体に添って高さをもって張られたワイヤや樹脂メッシュなどの内止部材４２８とでなり、その内部には土砂・砂利・岩塊（塊体入りネットを含む）・コンクリート・木材などによる内埋材４２９が高さ数ｍで投入されている。外止部材４２７相互は牽き部材４３０…により連結し倒れないように補強することができ、この場合、牽き部材４３０が内埋材４２９の投入により押下されることで矢印方向に牽き力を発生して自動的に外止部材４２７を倒れないようにする。尚、地盤面から避難場所４３１に登ることのできる登降手段４３２を１本あるいは複数本設けてもよい。また、外ネット４３３を追加してもよい。このネット４３３が登降手段を兼ねることができる。
【００８４】  右上欄のように、外止部材４２７をラセン配置しその内周に添って内止部材４２８を張ってもよい。そのラセン空間の内部には土砂などを投入してスロープなどの登降手段４３５と避難場所４３６を設けるものとする。
【００８５】  右下欄のように、外止部材４２７に対し内止部材４２８は千鳥縫い式に張設してもよい。また、下欄左のように、基部固定式のパイプや杭などの外止部材４３８間の内周側に組単位ａのような内止部材を嵌め込むようにしてもよい。さらに、同図右図のように、矢板４４０間に組単位ａがくるように組み合わせてもよい。
【００８６】  図４９は、周胴部が蛇腹形で上下貫通状の大径（５乃至１０ｍ）のステンレス製変形パイプ４４２を基部を埋め込んで設置し、同タンク４４２の上縁の１個所に出入り口４４３を形成して地盤からパイプ外周に添ってラセン状に添うスロープあるいは階段式（ラセン階段も含む）の登降手段４４４の上端に接続し、これにより、登降を可能とし、同タンク４４２内に前記した土砂などによる埋込材４４５を投入して避難場所４４６を構成したものである。尚、同登降手段４４４の他に通常時遊戯用として使える滑り台４４７を設けてもよい。こうした避難用施設は、鋼矢板などで築造したものにも適用がある。
【００８８】  図５０および図５１は、３本あるいは４本など複数本のフランジ付き支柱４５０…を多角形の頂点位置に対応するようにして埋め込み立設し、それら支柱４５０…上に共通１枚の避難ステージ４５１を手すり付きのものとして載置固定するとともに、津波Ｘに対し後方から登り得るような登降手段４５２を接続して避難ステージ４５１に避難可能としたものである。図示した三角形頂点配置の支柱４５０のうちの１本は津波Ｘの襲来してくる方向に先行するように向けて設置してある。
【００８９】  特に、同実施形態の各支柱４５０周りには、緩衝手段として木材４５３…を集束状にして巻き締めて装備してある。先行する支柱４５０回りの木材４５３の後方に登降手段４５２が対応しているので、津波Ｘが拡がって弱まったものになって登降が安全に行える。同登降手段４５２は図示よりさらに木材４５３寄りに配置すればより安全な登降が可能となる。尚、図５０に示すように、同じく木材を使って逆Ｖの字形をした切り分け誘導手段４５４を配備してもよい。同避難用施設が津波Ｘから守られるとともに避難する人が流されにくく避難ステージ４５１に辿り付くことができるようになる。図５１の４５５は無方向アンカーである。
【００９０】  図５０の右下欄に示すように、複数本の支柱４５６…を三角形の頂点位置とその中間位置とに埋め込み（打設も可能）により固定立設し、これらの各外周に多数の木材４５７…を巻き締めて高さ６乃至８ｍの６基の避難用施設を築造してある。そして、地盤上に後端を設置した登降手段４５８の前端を避難用施設上に連結固定していずれの施設にも移動して避難することができるようにしてある。津波Ｘは図示矢印のように左右に分かれるため施設は守られるとともに避難者も津波流の直接の影響のないところを通じて登降し上に避難することができる。支柱４５６…を介して上側に避難ステージを載置固定してさらに安全性を向上させた避難施設にしてもよい。
【００９１】  図５２および図５３は、鋼矢板や鋼管矢板、木材（組単位ａのものも含む）、コンクリートパイルなどのいずれかあるいは複数組み合わせにより図示のようなラセン配列に添って地盤内から立ち上げて施設本体（防護壁）４６０を築造し、その津波Ｘに対する後方側底部を通じて後方外部とラセン内底とを連絡して避難者を導くボックスカルバートなどの連通路４６１を挿通固定するとともに、前記内底からラセンに添って登ることのできる階段（スロープあるいは階段とスロープ併設型でもよい）４６２を設け、さらに右回りに登る傾斜をなしてスロープ（階段、あるいは階段とスロープ併設型でもよい）４６３を形成したものである。この場合、スロープ４６３自体が長く広い避難場所になるが別途避難ステージを設けてもよい。例えば、スロープ４６３に続けてステージ上に登れる登降手段付きのステージとして構成することができる。尚、右下欄は、施設本体の構成例として、コンクリートパイルなどの内列材４６４…を周方向に間隔をおいて立設し、それらの間の前側に鋼管や木材などの外列材４６５…を併設して緩衝作用のある施設本体と構成したものである。
【００９２】  図５４と図５５は防護壁４６８の築造方法の２例を示すもので、図５４の実施形態は、本体内部重量で傾倒が略完全に防止されることも考慮して、防護壁４６８を地盤４６９内に図５３よりも少し浅く埋め込んだ（打設も可能）もので、その中心には後打設あるいは本体４６８の施工前の埋め込みにより支柱４７０を受担材として設けるようにしてよく、この場合、その上に避難ステージ４７１を設置して支柱４７０まわりのラセン階段で登降できるようにすることができる。
【００９３】  図５５の実施形態は、鋼矢板や鋼管矢板その他でなる防護壁４６８を地盤４６９上に載置してなるもので、この場合も本体内部重量で傾倒が略完全に阻止され得ることを考慮して施工の簡略化を図ったものである。特に、この場合は、複数基の本体４６８を相互連結する方式により傾倒などを防止することができる。
【００９４】  尚、本体４６８は周位置において牽きワイヤ４７２…を上下複数にわたって配すことでより安定度は向上する。この牽きワイヤ４７２は、左欄のように登降手段４７３としてもよい。また、右欄上に示すように、本体４６８の基部の通孔４７４を通じて内から外地盤へあるいは外から内地盤へ向けてアンカー４７５を複数本打ち込んでもよい。さらに、その下図のように、本体４６８の基部外周コーナーには、コンクリートなどによる防護部４７６を付加して補強してもよい。この場合、仮想線のように断面形状は四角以外に三角形でもよい。
【００９５】  図５６および図５７は、鋼矢板である防護壁４８０を打設あるいは地盤上設置式で設けるに当り、予め設定ラインの外側に添うライン上に周方向に離間して外止部材４８１を深く打設あるいは埋込式に立設しておき、その内周側に添って防護壁４８０…を打設あるいは地盤上設置式で配備してなる。防護壁４８０は外止部材４８１側に連結固定してもよい。防護壁４８０は、右上欄のような鋼管４８２であってもよい。このように構成しておくことで、外止部材４８１が防護壁４８０の外倒れを防止するだけでなく津波から防護壁４８０を守るものである。防護壁４８０内には、土砂などでスロープなどの登降手段や避難場所を設ける。
尚、図５７に仮想線で示すように、外止部材４８１を高く伸ばし、避難ステージ４８３の支えを兼用することもできる。
【００９６】  尚、図５６の右方に示すように、コンクリート製のラセン状避難用施設４８５を築造してその内端側が低く外周側が次第に高くなった登降・避難手段兼用型のスロープ４８６を構築してもよい。この場合、ラセン溝４８７が避難通路になっている。
【００９７】  図５８は、防護壁を構成する例えば、鋼矢板４９０…のうちの１本が上方に少し高く突出するものとされ、その突出部分が避難ステージ（図示省略）の支えを兼ねるようにした例である。これら鋼矢板４９０相互間はワイヤーロープ４９１で連結してもよい。
前記鋼矢板４９０は鋼管矢板であることもある。
【００９８】  図５９は、同心状に矢板４９４…を打設して防護壁４９５を構築して内部に登降手段４９６と避難場所４９７を構成する場合に、その入口４９８を矢板４９４の相互連結により造るようにしたもので、右欄のように、かなり短い矢板４９４′を隣合う長い矢板４９４間に係合しながら降ろし、適宜高さで止めて相互溶接により一体化することで矢板４９４′と地盤との間に入口４９８を形成するようにしたものである。
尚、左欄に示すように、入口４９８の下側も短い矢板４９４′を先立って打設しておいて、隣合う４９８との連結関係を強化するようにしてもよい。
また、長い矢板４９４…で全てを構築しておいてのちに、溶断により入口４９８を開設してもよい。
【００９９】  図６０は、ラセン状防護壁５００に登降手段５０１および避難場所５０２を構成したものにおいて、その避難場所５０２の底側全体に水備蓄タンク５０３を装填式に設けて蓋５０４を開けることで適宜に給水補充可能にしてある一方、内部の水は、登降手段５０１の底側に埋め込んだ浄化タンク５０５内で浄化処理可能で浄化後の水を水備蓄タンク５０３内に常時（あるいは定期的に）循環させて戻すようにしたものである。５０６は吸上ポンプ、５０７はメンテナンス可能な浄化要素、５０８は攪拌曝気装置である。前記備蓄された水は、非常時用として津波・洪水など以外に消火水としても活用できる。タンク５０３を装填すると、その対応空間に土砂などを投入する施工が省略される。
【０１００】  尚、防護壁５１１の上に水備蓄タンク５１２を設置してもよい。その上が避難ステージ５１３となっている。同タンク５１２と前記タンク５０３とを併設してもよい。図６０の右下欄は、同心型防護壁５１５の避難場所５１６底側に水備蓄タンク５１７を装填したものである。５１８は登降手段である。
【０１０１】  図６１は、ラセン型防護壁５２１にスロープなどの登降手段５２２を設けたものにおいて、その中心スペースにタンク５２３を装填し、同タンク５２３内を避難空間としたものである。同タンク５２３の下層部分を水備蓄タンクにしてもよい。
以上実施形態においては避難施設が多人数用の大口径のものについて説明したが、例えば、家庭向けあるいは近隣限定向けのものとして、口径の小さい２ｍ乃至５ｍ程度のものについても同様にして実施することができる。
尚、ラセン形防護壁（あるいは同心形防護壁）５２１は、図６１の左下図のようなラセン巻鋼板で一体成形したものを現場搬入して設置したり、上下に分割したラセン巻鋼板ａ、ａ、ａを搬入して現場で溶接や連結して１本のラセン胴体に形成するようにしてもよい。また、その右図のように、Ｈ形鋼・矢板などの打ち込みアンカー５２５…をラセンライン上に打設しておいてその間を介して上から分割板ｂ…を挿填し、あとは溶接や連結などにより全体をタンク状に形成するようにしてもよい。
【０１０２】  図６２は、Ｕ形鋼矢板５３０…や直線形鋼矢板などを打設して周方向に連結して防護壁５３１を形成することによりラセンや同心状にし内部に避難場所を形成するようにしたものにおいて、その津波が襲来してくる側の前面には、鋼矢板５３０の溝ａや凸面ｂに添って津波が這い上がって上方から内部の避難場所や登降手段に多量に飛来してくるおそれがあり、避難する意味が損なわれる。そのことから、同図のように、上昇流を前方へと返すようにしたものである。
【０１０３】  凸面ｂ…の津波が襲来する高さより上側には、縦向きに分流化部材５３３…を止め付けてある。この分流化部材５３３は、横断面が半丸形や右下欄のＶ形にしたもので、この部材５３３により津波流は矢印のように左右に分かれて溝ａ…の方向に導かれるようになっている。左下図のようにＶ形を図示向きにして凸面ｂ上に取り付けてもよい。
【０１０４】  ５３５は転回ガイド板で、鋼板や樹脂板（ポリカ・ＦＲＰ板など）で作られ、溝ａ…内に上昇してくる津波流をまとめて図示矢印のように前方へ転回させるものである。この転回ガイド板５３５は、溝ａの前面に当て付けられる基板部５３６と、同基板部５３６から斜め上方前向きに傾斜して伸びるガイド板部５３７とでなり、ガイド板部５３７は、溝ａの全体を斜行するとともに同溝ａを有する鋼矢板５３０に隣合う鋼矢板５３０の斜面にも斜行する脇突起部５３８を備える。
尚、転回ガイド板５３５の隣合うもの同士を仮想線で示す連結ガイド板５３９で凸面ｂに当るように連結して矢印のように上昇してくる津波流を前上方に転回させるようにしてもよい。この連結ガイド板５３９を装備する場合、前記分流化部材５３３…は設けないこともある。
また、転回ガイド板５３５は、仮想線のように、鋼矢板５３０の上端に配置してもよい。
さらに、前記分流化部材５３３や転回ガイド板５３５などを設ける角度範囲は、右上欄に示すように９０°のθ１や１２０°のθ２とすることができる。同例ではラセンの避難施設について示すが同心型のものにも適用される。
また、図の上欄に示すように、Ｕ形鋼矢板５３０の数倍の連結幅ＷをもつＵ形鋼矢板（ジャンボ鋼矢板）５４１で防護壁を構成することもできる。この場合、補強リブ５４２を付すことがある。
さらに、直線形鋼矢板５４３も同様に幅広形にしたものを示す。この鋼矢板５４３は一端に挿通ロッド５４４を備え、他端に同ロッド５４４が通される筒部５４５を備え、補強リブ５４６を付加してもよい。
また、ガイド板部５３７は、図６４のような湾曲状にしてもよい。
【０１０５】  図６３は、Ｕ形鋼矢板５４９…の多数枚を連設して周状防護壁５５０を形成してなるものにおいて、その前向きの溝ａの上部内に楔形をした転回ガイド部材５５１を備え付けて這い上がる津波流が前向きに転回して避難空間側へ飛び込まないようにしたものである。同ガイド部材５５１は、図示しない止着具で取り付ける場合と、図示のように防護壁５５０の周囲に緊締されるワイヤーロープ５５２と溝ａ間を利用して打設するようにしいてもよい。この場合、ねじ孔５５３…を多数設けておいて抜止具５５４により転回ガイド部材５５１がワイヤーロープ５５２に引っ掛かることで抜けないように構成することができる。
【０１０６】  尚、転回ガイド部材５５１の表に横溝を段階状に形成してワイヤーロープ５５２に係合するようにしてもよい。
同転回ガイド部材５５１は鋼板を折り曲げて形成されているが、木質あるいは樹脂製の楔形をしたものでもよい。
また、実線の転回ガイド部材５５１に代えて、仮想線で示すように、差込舌片５５６を２葉備えた楔形の転回ガイド部材５５７を溝ａが前向きの鋼矢板５４９の上端に挿し込み固定するようにしてもよい。この転回ガイド部材５５７は、凸面ｂを前向きにした鋼矢板５４９にも取り付けてもよい。凸面ｂの転回ガイド部材５５７と実線の転回ガイド部材５４９とを組み合わせることもできる。
前記楔を打ち込む方式は、木材をワイヤーロープで束ねて防護壁を築造するものにおいても同ワイヤーロープを利用して打設するようにして適用できる。
【０１０７】  図６４は、Ｕ形鋼矢板５６０…の多数枚を連設して周状防護壁５６１を形成してなるものにおいて、離間して隣合う関係の鋼矢板５６０，５６０間に跨るような幅の広い転回ガイド部材５６２を前向き湾曲状のものとして取り付け固定したものを示す。この転回ガイド部材５６２の湾曲した面は、溝ａを前向きにした鋼矢板５６０は勿論、凸面ｂを前向きにした鋼矢板５６０を這い上がってきた津波流をも捉えて前方へ転回させて戻すように機能する。この転回ガイド部材５６２は、周方向に互いに接近するようにして連設してある。材質は鋼板、樹脂板などいずれでもよい。凸面ｂを前向きとする鋼矢板５６０の裏側の溝からは、津波流による吸引作用でエアーが噴出する。
【０１０８】  尚、右上欄のように、転回ガイド部材５６２の両脇にリブ５６３を付加してもよい。そのリブ数は２つに限定されない。
また、右下欄のように、リブ５６５を幅間に設けた転回ガイド部材５６６としてもよい。
【０１０９】  図６５は、登降手段５６９が充分幅広状（１０ｍから５０ｍ程度）で多くの人が混雑なくしかも安全に避難することができるようにした避難用施設物を示し、図の左と右上に示すように、同避難用施設物は、津波が襲来してくる方向Ｘ側に丸い先端部５７０がくるようにして後方拡大状をした防護壁５７１を鋼矢板や木材などで築造したもので、その中には、後方から登り避難することのできるスロープ状の登降手段５６９が前上がり状に形成されている。このスロープは、階段でもよく、またスロープ・階段併設型のものでもよい。この登降手段５６９は、コンクリート埋設式によるもの、土砂や塊体入りネットなどによるものいずれでもよい。下地を土砂や塊体入りネットなどとし上仕上げをコンクリートやモルタルによるものでもよい。板張りやメッシュ張り、グレーチング張り、木材張りなどでもよい。
【０１１０】  また、避難用施設物の中には鋼矢板などで丸筒型とされた中防護壁５７１′の内部スペースに埋めこみなどにより避難場所５７２が形成されて矢印のように避難できるようになっている。尚、仮想線のように、避難場所５７２へ直接登ることのできる他の登降手段として中央階段５７３を設けてもよい。
また、津波流が避難側に飛び込んでくるのを防止するため、転回ガイド部材５７４を先端部５７０を取り付けたり、仮想線および右下欄のように先端部５７０よりも先行した位置にやや低目の予備防護壁５７５を配列してもよい。この防護壁５７５の中は空間としたり土砂などを埋め込んでもよい。これにより、津波流がきても同防護壁５７５内に飛びこませることができ避難側に届くおそれがなくなる。
さらに、右上欄のように、実線の避難用施設物を前後に離間して対向配備してその間を避難口５７６として逃げ込むことができるようにしてもよい。この場合、Ｓのように後側にくる避難用施設物を前の避難用施設物の幅よりも幅狭状にしいておけば津波流が入りにくくなる利点がある。
また、前記先端部５７０は、先端を三角形の頂点のように先鋭状にしてもよい。
【０１１１】  図６６は、前記中防護壁５７１′なしで避難用施設物を構成したもので、５７９は防護壁で、先が丸くなって津波抵抗の少ない形状特性をしたＶ形壁をしており、その中には、前方へ向けて上がるスロープ５８０と、その上の階段５８１とが形成され、さらに階段５８１の上には水平な避難場所５８２が設定されている。ここでは、階段５８１も広い避難場所として利用することができる。スロープ５８０は、階段でもよく、スロープと階段の併設型でもよい。スロープ５８０は、図示では防護壁５７９からさらに後方へ裾広がり状に延びているが、図６５のように防護壁の端に合わせてもよい。逆に図６５の場合には、スロープを図６６のように後方へ長く延ばしてもよい。
【０１１２】  尚、図６６に仮想線で示すように、避難場所５８２を少し狭くし階段５８１を長く広い避難場所として構成してもよい。
また、この避難用施設物の前には仮想線のようなＶ形予備防護壁５８３を立設してもよい。
【０１１３】  図６７は、ラセン形避難用施設物の浮敷型登降手段５８６の登り端部をラセンの端部開口５８７に合致させずにラセン方向外部にずらせたものである。これにより、矢印のように戻り流Ｙが登降手段５８６上に押し寄せることがなくラセン内空間で吸収する。この場合、ラセンの前側にＹ流のみにより前方へ開く逆止扉（図示省略）を装備しておいて前方へ抜け出るように構成してもよい。
【０１１４】  尚、右欄のように、登降手段５８８をラセン端部に合わせた場合には、同手段５８８をグレーチングやメッシュ部材などを使用して戻り流Ｙがラセン内に抜けるように構成することもできる。
趣旨は異なるが、矢印Ｙのように登降可能な下階の登降手段を実線の上階の登降手段と併設することもできる。
【０１１５】  図６８は、４本のリップ付きアングル材などの主支柱５９１…を４隅に圧入などの打設により立設し、これらの主支柱５９１の各２面に添ってＨ型鋼でなる副支柱５９２を打設するとともに、これら副支柱５９２の向かい合うもの同士の間に角材（鋼矢板を含む）５９３…を落とし堰方式に配備して内空間に土砂や塊体入りネット、コンクリートなどを充填して避難場所５９４としたものである。５９５は登降手段である。
【０１１６】  こうした避難用施設物は、津波が襲来してくる方向Ｘに対して図示のように１つの角隅を先行させるように向きを設定するが、これに限定されない。尚、中間にもＨ型鋼でなる副支柱５９２を配置してより強固な構造にしてもよい。
また、Ｈ型鋼の一対を１本化しておいてそれを圧入するようにしてもよい。この場合、主支柱５９１は省略することがある。
【０１１７】  図６９は付加的な提案例を示すものである。従来の慣例は、下着にワイシャツを着装してネクタイを締めたのち背広上着を着るというものであったため、夏場には非常に暑く困っていた。しかし、図示のように、下着１２４の上に直接夏用の清涼スーツ１２５を着ることにより非常に涼しく軽快に生活を送れるようにようになる。清涼スーツ１２５は、非常に細かいメッシュ地で涼しくて軽く涼しさを感じる繊維が使われ、形態としては旧来からのものであって、袖先にはワイシャツ様のメッシュ地の袖先１２６が縫着されている。
【０１１８】  この清涼スーツ１２５の下衿１２７には、やや太いラインで強調された模様１２８が付されて全体に高級感を醸し出すように工夫してある。
【０１１９】  この下衿１２７から上衿１２９にかけての部分とそれらが対面する本体縁部分には、同図右欄のように、通気孔１３０…を多数明けて、より涼しくなるようにしてある。上衿１２９の内面には、同図右上欄図のように、吸汗効果と消臭効果のある生地を用いて波形に作った通気促進片１３１が縫い付けられて背中からの蒸散気が外に逃げるようになっている。
【０１２０】  同図右欄の１３３は掛装品で、この掛装品１３３は、表側と裏側とでなり、表側は、上端が１５ｃｍ前後に幅広化され下向きに次第に狭くなった通気性のあるネクタイ地部１３４でなり、裏側は、吸汗効果と消臭効果のある生地を用いた内通し舌片１３５として前記ネクタイ地部１３４から折り曲げ状に連設されている。この内通し舌片１３５の身体に当たる面には、同図の右上に示すような通気促進片１３１が縫い付けられている。
【０１２１】  こうした掛装品１３３は、矢印Ｂで示すように内通し舌片１３５を下着１２４のネック部の内側にくるように差し入れて垂らすようにするとともに、ネクタイ地部１３４を下着１２４の表側に垂らすようにして掛装品１３３全体を下着１２４のネックを介して掛装するようにする。ネクタイ地部１３４の上部は充分に幅広状になっているので、下着１２４を覆い隠して前から見えるようなことはない。
尚、下着１２４のネック部は首下より少し低くなっているのが通例であるので、そこに掛けられた掛装品１３３の上端縁と首下との間にはやや広めの余地が残るが、そのため、右図破線のようにネクタイ地部１３４の裏面少し低い位置に簡易クリップ１３６を付けておいてそれが下着１２４のネック部に挟み付けられるようにしておけば掛装品１３３全体のレベルが少しアップし違和感もなくなる。
尚、上衿１２９は、従来からのスーツの上衿高さよりも高く、ワイシャツの衿高さ程に少し高目に作ってもよい。
【０１２２】  図７０も付加的な提案例を示すもので、この掛装品１３８は、ネッカチーフ様の表装部１３９と内通し舌片１４０とを備えるとともに、表装部１３９の裏面と内通し舌片１４０の表側には簡易ポケット１４１が縫い付けられている。内通し舌片１４０は汗取りと臭い消しの両効果をもつ生地で出来ている。１４２は首掛リングで、ワンタッチで掛脱できまた長さ調節も可能な掛脱具１４３を備えるとともにその前回りの部分には、掛装品１３８が掛け付けられている。こうした掛装品１３８は首下近くまで寄せ上げた状態にセットできる。表装部１３９はネクタイ様のものでもよい。
【０１２３】  図７１も付加的な提案例を示す。清涼スーツ１４６は、上衿１４７から下衿１４８上部にかけての部分が従来のワイシャツの衿と同様のやや高いものになっているとともに、下衿１４８の上部位置には、左右に相対向するように通し口１４９が明けられている。１５０は首掛リングで、前後に掛脱具１５１をもつとともにその前回りには図７０のような掛装品１５２が掛けられている。前記首掛リング１５０は、清涼スーツ１４６の上衿１４７から下衿１４８にかけて掛け回されるとともに通し口１４９を通じて前回りにきて止め着けられる。
【０１２４】  そして、こうした首掛リング１５０の前回りには掛装品１５２が掛けられる。裏側の汗取り・臭い消し用の内通し舌片１４０を備える場合とそうでない場合とがあるが、図示しない下着のネック部内に差し入れるようにするかネック部の表側にくるようにするかは自由である。尚、図７１に仮想線で示すように、実線で示す従来からの衿ラインよりも少し首寄りまでくるように衿部分１５３を形成すると掛装品１５２も狭いもので済む。
【０１２５】  尚、図７１の右下欄に示すように、下衿１４８の上寄り内縁には、左右対応位置の取付点１５５からそれぞれ垂れ下がるようにして掛脱具１５７付きの条材（チェーンや紐、真珠など）１５６，１５６を設けておき、スーツ着装後に仮想線のように持ち上げつつ両掛脱具（マグネットも可）１５７，１５７を合着させて一本つなぎに垂れた条材とし、これに前記のような掛装品を着装するように構成することもできる。
【０１２６】  また、図７３も付加的な提案例で、清涼スーツ１６０の下衿１６１，１６１裏の左右間にわたるようにして渡装地１６２を上縁１６２ａが前首裾部１６３近くになるように装着してなる。この渡装地１６２は、その中央部分が左右の下衿１６１，１６１間に現出するようにされるとともに、略逆三角形の通気質布地を用いて作られている。１６２′のように渡装地１６２は十分垂れ下がった長い形のものにしてもよい。同渡装地１６２は、向かって左側の側縁を下衿１６１に止着具１６４（面ファスナーを含む）１６４…で脱着可能にしたり縫着してもよい。
【０１２７】  一方、向かって右側の側縁は、下衿１６１側とともに一対の面ファスナーを構成する脱着具１６５でワンタッチで下衿１６１側と着脱できるようになっている。渡装地１６２の中央上部は少し高くなっていて、その個所から下向きにネクタイ様（ネッカチーフ様も可）１６６が直接染め込まれている。渡装地１６２の色や模様は、他のものに自由に変えられるものとし、表裏別模様のものを裏返し使用することもできるものとしてもよい。渡装地１６２に別物のネクタイを着脱自在に取着できるようにしてもよい。この場合、ネクタイ等の付加品は、渡装地１６２に対し面ファスナーなどで脱着可能にしたり、掛脱自在にしてもよい。
【図面の簡単な説明】
【０１２８】
【図１】  本発明の一実施形態を示す避難用施設物の平面図。
【図２】  図１の側面図。
【図３】  他の実施形態を示す側面図。
【図４】  他の実施形態を示す斜視図。
【図５】  他の実施形態を示す平面図。
【図６】  他の実施形態を示す側面図。
【図７】  他の実施形態を示す平面図。
【図８】  他の実施形態を示す側面図。
【図９】  図１０の避難用施設物の施工要領を示す斜視図。
【図１０】  図９の施工完了図を示す側面図。
【図１１】  他の実施形態を示す側断面図。
【図１２】  他の実施形態を示す平面図。
【図１３】  他の実施形態を示す側面図。
【図１４】  他の実施形態を示す側面図。
【図１５】  他の実施形態を示す平面図。
【図１６】  他の実施形態を示す平面図。
【図１７】  他の実施形態を示す平面図。
【図１８】  図１７の縦断側面図。
【図１９】  他の実施形態を示す図２０の平面図。
【図２０】  図１９のＡ矢視である背面図。
【図２１】  図１９、図２０の実施形態の避難用施設物の斜視図。
【図２２】  図２１の登降手段の部分を示す縦断面図。
【図２３】  他の登降手段を示す断面図。
【図２４】  他の実施形態を示す避難用施設物の模式平面図。
【図２５】  他の実施形態を示す避難用施設物の模式平面図。
【図２６】  他の実施形態を示す避難用施設物の模式平面図。
【図２７】  他の実施形態を示す避難用施設物の模式平面図。
【図２８】  他の実施形態を示す避難用施設物の模式平面図。
【図２９】  図２８のＤ−Ｄ線側断面図。
【図３０】  他の実施形態を示す左側面図。
【図３１】  登降手段の他の実施形態を示す斜視図。
【図３２】  丘や山への避難用施設物を示す図３２の側面図。
【図３３】  図３２の平面図。
【図３４】  他の実施形態を示す模式平面図。
【図３５】  他の実施形態を示す模式平面図。
【図３６】  他の実施形態を示す模式平面図。
【図３７】  他の実施形態を示す模式平面図。
【図３８】  他の実施形態を示す模式平面図。
【図３９】  図３８の左側面図。
【図４０】  図４１の実施形態の平面図。
【図４１】  図４０の左側面図。
【図４２】  他の実施形態を示す模式平面図。
【図４３】  他の実施形態を示す模式平面図。
【図４４】  他の実施形態を示す斜視図。
【図４５】  他の実施形態を示す斜視図。
【図４６】  他の実施形態を示す斜視図。
【図４７】  他の実施形態を示す拡大平面図。
【図４８】  他の実施形態を示す平面図。
【図４９】  他の実施形態を示す平面図。
【図５０】  他の実施形態を示す平面図。
【図５１】  図５０の側面図。
【図５２】  他の実施形態を示す平面図。
【図５３】  図５２の側面図。
【図５４】  他の実施形態を示す側面図。
【図５５】  他の実施形態を示す側面図。
【図５６】  他の実施形態を示す平面図。
【図５７】  図５６の側面図。
【図５８】  他の実施形態を示す斜視図。
【図５９】  他の実施形態を示す斜視図。
【図６０】  他の実施形態を示す半断面斜視図。
【図６１】  他の実施形態を示す縦断面図。
【図６２】  他の実施形態を示す斜視図。
【図６３】  他の実施形態を示す斜視図。
【図６４】  他の実施形態を示す斜視図。
【図６５】  他の実施形態を示す平面図。
【図６６】  他の実施形態を示す斜視図。
【図６７】  他の実施形態を示す斜視図。
【図６８】  他の実施形態を示す斜視図。
【図６９】  付加的な提案例を示す正面図。
【図７０】  他の付加例を示す斜視図。
【図７１】  他の付加例を示す正面図。
【図７２】  図７１のＣ矢視図。
【図７３】  他の付加例を示す正面図。
【符号の説明】
【０１２９】１…地盤  ２…人工丘陵  ３…避難場所  ６…登降手段。
【図１】
2006342648.tif 000003
【図２】
2006342648.tif 000004
【図３】
2006342648.tif 000005
【図４】
2006342648.tif 000006
【図５】
2006342648.tif 000007
【図６】
2006342648.tif 000008
【図７】
2006342648.tif 000009
【図８】
2006342648.tif 000010
【図９】
2006342648.tif 000011
【図１０】
2006342648.tif 000012
【図１１】
2006342648.tif 000013
【図１２】
2006342648.tif 000014
【図１３】
2006342648.tif 000015
【図１４】
2006342648.tif 000016
【図１５】
2006342648.tif 000017
【図１６】
2006342648.tif 000018
【図１７】
2006342648.tif 000019
【図１８】
2006342648.tif 000020
【図１９】
2006342648.tif 000021
【図２０】
2006342648.tif 000022
【図２１】
2006342648.tif 000023
【図２２】
2006342648.tif 000024
【図２３】
2006342648.tif 000025
【図２４】
2006342648.tif 000026
【図２５】
2006342648.tif 000027
【図２６】
2006342648.tif 000028
【図２７】
2006342648.tif 000029
【図２８】
2006342648.tif 000030
【図２９】
2006342648.tif 000031
【図３０】
2006342648.tif 000032
【図３１】
2006342648.tif 000033
【図３２】
2006342648.tif 000034
【図３３】
2006342648.tif 000035
【図３４】
2006342648.tif 000036
【図３５】
2006342648.tif 000037
【図３６】
2006342648.tif 000038
【図３７】
2006342648.tif 000039
【図３８】
2006342648.tif 000040
【図３９】
2006342648.tif 000041
【図４０】
2006342648.tif 000042
【図４１】
2006342648.tif 000043
【図４２】
2006342648.tif 000044
【図４３】
2006342648.tif 000045
【図４４】
2006342648.tif 000046
【図４５】
2006342648.tif 000047
【図４６】
2006342648.tif 000048
【図４７】
2006342648.tif 000049
【図４８】
2006342648.tif 000050
【図４９】
2006342648.tif 000051
【図５０】
2006342648.tif 000052
【図５１】
2006342648.tif 000053
【図５２】
2006342648.tif 000054
【図５３】
2006342648.tif 000055
【図５４】
2006342648.tif 000056
【図５５】
2006342648.tif 000057
【図５６】
2006342648.tif 000058
【図５７】
2006342648.tif 000059
【図５８】
2006342648.tif 000060
【図５９】
2006342648.tif 000061
【図６０】
2006342648.tif 000062
【図６１】
2006342648.tif 000063
【図６２】
2006342648.tif 000064
【図６３】
2006342648.tif 000065
【図６４】
2006342648.tif 000066
【図６５】
2006342648.tif 000067
【図６６】
2006342648.tif 000068
【図６７】
2006342648.tif 000069
【図６８】
2006342648.tif 000070
【図６９】
2006342648.tif 000071
【図７０】
2006342648.tif 000072
【図７１】
2006342648.tif 000073
【図７２】
2006342648.tif 000074
【図７３】
2006342648.tif 000075